(57)【特許請求の範囲】
【請求項１】
ワイヤレス通信のための装置であって、
ワイヤレス信号を介した送信のためのパケットを生成するように構成されるプロセッサと、ここにおいて、前記パケットは、少なくとも１つの直交周波数分割多重（ＯＦＤＭ）シンボルを使用した１ＭＨｚの帯域幅上での送信のために生成される、
電力スペクトル密度を有する前記ワイヤレス信号を介して前記パケットを送信するように構成される送信機と
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
装置。
【請求項２】
前記プロセッサは、第２のワイヤレス信号を介した送信のための第２のパケットを生成するようにさらに構成され、前記第２のパケットは、少なくとも１つのＯＦＤＭシンボルを使用した２ＭＨｚの帯域幅上での送信のために生成され、前記送信機は、第２の電力スペクトル密度を有する前記第２のワイヤレス信号を介して前記第２のパケットを送信するようにさらに構成され、
前記第２のワイヤレス信号の第２の中心周波数の±０．９ＭＨｚ内の前記第２の電力スペクトル密度は、第２の電力スペクトル密度レベルにあり、
前記第２のワイヤレス信号の前記第２の中心周波数から０．９ＭＨｚと１．１ＭＨｚとの間および前記第２のワイヤレス信号の前記第２の中心周波数から−０．９ＭＨｚと−１．１ＭＨｚとの間の前記第２の電力スペクトル密度は、前記第２の電力スペクトル密度レベル未満であり、
前記第２のワイヤレス信号の前記第２の中心周波数から１．１ＭＨｚと２ＭＨｚとの間および前記第２のワイヤレス信号の前記第２の中心周波数から−１．１ＭＨｚと−２ＭＨｚとの間の前記第２の電力スペクトル密度は、前記第２の電力スペクトル密度レベルに対して−２０ｄＢｒ未満であり、
前記第２のワイヤレス信号の前記第２の中心周波数から２ＭＨｚと３ＭＨｚとの間および前記第２のワイヤレス信号の前記第２の中心周波数から−２ＭＨｚと−３ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±３ＭＨｚよりも大きい前記第２の電力スペクトル密度は、前記第２の電力スペクトル密度レベルに対して−４０ｄＢｒ未満である、
請求項１に記載の装置。
【請求項３】
前記プロセッサは、第２のワイヤレス信号を介した送信のための第２のパケットを生成するようにさらに構成され、前記第２のパケットは、少なくとも１つのＯＦＤＭシンボルを使用した４ＭＨｚの帯域幅上での送信のために生成され、前記送信機は、第２の電力スペクトル密度を有する前記第２のワイヤレス信号を介して前記第２のパケットを送信するようにさらに構成され、
前記第２のワイヤレス信号の第２の中心周波数の±１．９ＭＨｚ内の前記第２の電力スペクトル密度は、第２の電力スペクトル密度レベルにあり、
前記第２のワイヤレス信号の前記第２の中心周波数から１．９ＭＨｚと２．１ＭＨｚとの間および前記第２のワイヤレス信号の前記第２の中心周波数から−１．９ＭＨｚと−２．１ＭＨｚとの間の前記第２の電力スペクトル密度は、前記第２の電力スペクトル密度レベル未満であり、
前記第２のワイヤレス信号の前記第２の中心周波数から２．１ＭＨｚと４ＭＨｚとの間および前記第２のワイヤレス信号の前記第２の中心周波数から−２．１ＭＨｚと−４ＭＨｚとの間の前記第２の電力スペクトル密度は、前記第２の電力スペクトル密度レベルに対して−２０ｄＢｒ未満であり、
前記第２のワイヤレス信号の前記第２の中心周波数から４ＭＨｚと６ＭＨｚとの間および前記第２のワイヤレス信号の前記第２の中心周波数から−４ＭＨｚと−６ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±６ＭＨｚよりも大きい前記第２の電力スペクトル密度は、前記第２の電力スペクトル密度レベルに対して−４０ｄＢｒ未満である、
請求項１に記載の装置。
【請求項４】
前記プロセッサは、第２のワイヤレス信号を介した送信のための第２のパケットを生成するようにさらに構成され、前記第２のパケットは、少なくとも１つのＯＦＤＭシンボルを使用した８ＭＨｚの帯域幅上での送信のために生成され、前記送信機は、第２の電力スペクトル密度を有する前記第２のワイヤレス信号を介して前記第２のパケットを送信するようにさらに構成され、
前記第２のワイヤレス信号の第２の中心周波数の±３．９ＭＨｚ内の前記第２の電力スペクトル密度は、第２の電力スペクトル密度レベルにあり、
前記第２のワイヤレス信号の前記第２の中心周波数から３．９ＭＨｚと４．１ＭＨｚとの間および前記第２のワイヤレス信号の前記第２の中心周波数から−３．９ＭＨｚと−４．１ＭＨｚとの間の前記第２の電力スペクトル密度は、前記第２の電力スペクトル密度レベル未満であり、
前記第２のワイヤレス信号の前記第２の中心周波数から４．１ＭＨｚと８ＭＨｚとの間および前記第２のワイヤレス信号の前記第２の中心周波数から−４．１ＭＨｚと−８ＭＨｚとの間の前記第２の電力スペクトル密度は、前記第２の電力スペクトル密度レベルに対して−２０ｄＢｒ未満であり、
前記第２のワイヤレス信号の前記第２の中心周波数から８ＭＨｚと１２ＭＨｚとの間および前記第２のワイヤレス信号の前記第２の中心周波数から−８ＭＨｚと−１２ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±１２ＭＨｚよりも大きい前記第２の電力スペクトル密度は、前記第２の電力スペクトル密度レベルに対して−４０ｄＢｒ未満である、
請求項１に記載の装置。
【請求項５】
前記プロセッサは、第２のワイヤレス信号を介した送信のための第２のパケットを生成するようにさらに構成され、前記第２のパケットは、少なくとも１つのＯＦＤＭシンボルを使用した１６ＭＨｚの帯域幅上での送信のために生成され、前記送信機は、第２の電力スペクトル密度を有する前記第２のワイヤレス信号を介して前記第２のパケットを送信するようにさらに構成され、
前記第２のワイヤレス信号の第２の中心周波数の±７．９ＭＨｚ内の前記第２の電力スペクトル密度は、第２の電力スペクトル密度レベルにあり、
前記第２のワイヤレス信号の前記第２の中心周波数から７．９ＭＨｚと８．１ＭＨｚとの間および前記第２のワイヤレス信号の前記第２の中心周波数から−７．９ＭＨｚと−８．１ＭＨｚとの間の前記第２の電力スペクトル密度は、前記第２の電力スペクトル密度レベル未満であり、
前記第２のワイヤレス信号の前記第２の中心周波数から８．１ＭＨｚと１６ＭＨｚとの間および前記第２のワイヤレス信号の前記第２の中心周波数から−８．１ＭＨｚと−１６ＭＨｚとの間の前記第２の電力スペクトル密度は、前記第２の電力スペクトル密度レベルに対して−２０ｄＢｒ未満であり、
前記第２のワイヤレス信号の前記第２の中心周波数から１６ＭＨｚと２４ＭＨｚとの間および前記第２のワイヤレス信号の前記第２の中心周波数から−１６ＭＨｚと−２４ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±２４ＭＨｚよりも大きい前記第２の電力スペクトル密度は、前記第２の電力スペクトル密度レベルに対して−４０ｄＢｒ未満である、
請求項１に記載の装置。
【請求項６】
前記ＯＦＤＭシンボルは、３２個のサブキャリアを備え、２４個のサブキャリアは、データのために使用される、
請求項１に記載の装置。
【請求項７】
前記送信機は、１０ｋＨｚ解像度帯域幅と３ｋＨｚビデオ帯域幅とを使用して前記電力スペクトル密度を判断するための測定を行うように構成される、
請求項１に記載の装置。
【請求項８】
前記ワイヤレス信号の前記中心周波数から±１．５ＭＨｚよりも大きい前記電力スペクトル密度は、前記第１の電力スペクトル密度レベルに対して−４０ｄＢｍ／ＭＨｚの減衰と最大−４０ｄＢｒとを有する、
請求項１に記載の装置。
【請求項９】
前記第２のワイヤレス信号の前記第２の中心周波数から±３ＭＨｚよりも大きい前記電力スペクトル密度が、前記第２の電力スペクトル密度レベルに対して−４３ｄＢｍ／ＭＨｚの減衰と最大−４０ｄＢｒとを有する、
請求項２に記載の装置。
【請求項１０】
前記第２のワイヤレス信号の前記第２の中心周波数から±６ＭＨｚよりも大きい前記電力スペクトル密度は、前記第２の電力スペクトル密度レベルに対して−４６ｄＢｍ／ＭＨｚの減衰と最大−４０ｄＢｒとを有する、
請求項３に記載の装置。
【請求項１１】
前記第２のワイヤレス信号の前記第２の中心周波数から±１２ＭＨｚよりも大きい前記電力スペクトル密度は、前記第２の電力スペクトル密度レベルに対して−４９ｄＢｍ／ＭＨｚの減衰と最大−４０ｄＢｒとを有する、
請求項４に記載の装置。
【請求項１２】
前記第２のワイヤレス信号の前記第２の中心周波数から±２４ＭＨｚよりも大きい前記電力スペクトル密度は、前記第２の電力スペクトル密度レベルに対して−４９ｄＢｍ／ＭＨｚの減衰と最大−４０ｄＢｒとを有する、
請求項５に記載の装置。
【請求項１３】
ワイヤレス通信のための方法であって、
少なくとも１つの直交周波数分割多重（ＯＦＤＭ）シンボルを使用した１ＭＨｚの帯域幅上でのワイヤレス信号を介した送信のためのパケットを生成することと、
電力スペクトル密度を有する前記ワイヤレス信号を介して前記パケットを送信することと
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
方法。
【請求項１４】
少なくとも１つの直交周波数分割多重（ＯＦＤＭ）シンボルを使用した１ＭＨｚの帯域幅上でのワイヤレス信号を介した送信のためのパケットを生成するための手段と、
電力スペクトル密度を有する前記ワイヤレス信号を介して前記パケットを送信するための手段と
をさらに備え
前記ワイヤレス信号の中心周波数の±０．４５ＭＨｚ内の前記電力スペクトル密度が第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度が前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度が前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度が前記第１の電力スペクトル密度レベルに対して−２８ｄＢｒ未満であり、
前記ワイヤレス信号の前記中心周波数から±１．５ＭＨｚよりも大きい前記電力スペクトル密度が前記第１の電力スペクトル密度レベルに対して−４０ｄＢｒ未満である、
請求項１に記載の装置。
【請求項１５】
少なくとも１つの直交周波数分割多重（ＯＦＤＭ）シンボルを使用した１ＭＨｚの帯域幅上でのワイヤレス信号を介した送信のためのパケットを生成するためのコードと、
電力スペクトル密度を有する前記ワイヤレス信号を介して前記パケットを送信するためのコードと
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
コンピュータプログラム。
【発明の詳細な説明】
【関連出願】
【０００１】
米国特許法第１１９条に基づく優先権の主張  
[0001]本特許出願は、本出願の譲受人に譲渡され、参照により本明細書に明確に組み込まれる、２０１２年５月７日に出願された「SYSTEMS AND METHODS FOR WIRELESS COMMUNICATION IN SUB GIGAHERTZ BANDS」と題する仮出願第６１／６４３，５１２号の優先権を主張する。本特許出願はさらに、本出願の譲受人に譲渡され、参照により本明細書に明確に組み込まれる、２０１３年１月２９日に出願された「SYSTEMS AND METHODS FOR WIRELESS COMMUNICATION IN SUB GIGAHERTZ BANDS」と題する仮出願第６１／７５７，８８３号の優先権を主張する。
【技術分野】
【０００２】
[0002]本出願は、一般にワイヤレス通信に関し、より詳細には、サブギガヘルツ帯域中でのワイヤレス通信を可能にするシステム、方法、およびデバイスに関する。本明細書のいくつかの態様は、帯域外放射についての減衰要件に関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００５】
[0005]ワイヤレスネットワーク中のデバイスは、ワイヤレス信号を介して互いの間で情報を送信／受信し得る。デバイスは、システム内の干渉を低減し、信号がその上で送信され得る帯域幅を増加させるために、異なる周波数において送信されるワイヤレス信号間の干渉を防ぐ必要があり得る。
【発明の概要】
【０００６】
[0006]本発明のシステム、方法、およびデバイスは、それぞれいくつかの態様を有し、それらのうちの単一の態様が単独で本発明の望ましい属性を担当するとは限らない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、低電力および長距離ワイヤレス通信のためのサブギガヘルツ帯域中でのワイヤレス通信を提供することを含む利点をどのように提供するかが理解されよう。
【０００７】
[0007]一態様では、ワイヤレス通信のための装置が提供される。本装置は、ワイヤレス信号を介した送信のためのパケットを生成するように構成されるプロセッサを含む。パケットは、少なくとも１つの直交周波数分割多重（ＯＦＤＭ）シンボルを使用した１ＭＨｚの帯域幅上での送信のために生成される。本装置は、電力スペクトル密度を有するワイヤレス信号を介してパケットを送信するように構成される送信機をさらに含む。ワイヤレス信号の中心周波数の±０．４５ＭＨｚ内の電力スペクトル密度は第１の電力スペクトル密度レベルにある。ワイヤレス信号の中心周波数から０．４５ＭＨｚと０．６ＭＨｚとの間およびワイヤレス信号の中心周波数から−０．４５ＭＨｚと−０．６ＭＨｚとの間の電力スペクトル密度は第１の電力スペクトル密度レベル未満である。ワイヤレス信号の中心周波数から０．６ＭＨｚと１ＭＨｚとの間およびワイヤレス信号の中心周波数から−０．６ＭＨｚと−１ＭＨｚとの間の電力スペクトル密度は第１の電力スペクトル密度レベルに対して−２０ｄＢｒ未満である。ワイヤレス信号の中心周波数から１ＭＨｚと１．５ＭＨｚとの間およびワイヤレス信号の中心周波数から−１ＭＨｚと−１．５ＭＨｚとの間の電力スペクトル密度は第１の電力スペクトル密度レベルに対して−２８ｄＢｒ未満である。ワイヤレス信号の中心周波数から±１．５ＭＨｚよりも大きい電力スペクトル密度は第１の電力スペクトル密度レベルに対して−４０ｄＢｒ未満である。
【０００８】
[0008]別の態様では、ワイヤレス通信のための方法の実装形態が提供される。本方法は、少なくとも１つの直交周波数分割多重（ＯＦＤＭ）シンボルを使用した１ＭＨｚの帯域幅上でのワイヤレス信号を介した送信のためのパケットを生成することを含む。本方法は、電力スペクトル密度を有するワイヤレス信号を介してパケットを送信することをさらに含む。ワイヤレス信号の中心周波数の±０．４５ＭＨｚ内の電力スペクトル密度は第１の電力スペクトル密度レベルにある。ワイヤレス信号の中心周波数から０．４５ＭＨｚと０．６ＭＨｚとの間およびワイヤレス信号の中心周波数から−０．４５ＭＨｚと−０．６ＭＨｚとの間の電力スペクトル密度は第１の電力スペクトル密度レベル未満である。ワイヤレス信号の中心周波数から０．６ＭＨｚと１ＭＨｚとの間およびワイヤレス信号の中心周波数から−０．６ＭＨｚと−１ＭＨｚとの間の電力スペクトル密度は第１の電力スペクトル密度レベルに対して−２０ｄＢｒ未満である。ワイヤレス信号の中心周波数から１ＭＨｚと１．５ＭＨｚとの間およびワイヤレス信号の中心周波数から−１ＭＨｚと−１．５ＭＨｚとの間の電力スペクトル密度は第１の電力スペクトル密度レベルに対して−２８ｄＢｒ未満である。ワイヤレス信号の中心周波数から±１．５ＭＨｚよりも大きい電力スペクトル密度は第１の電力スペクトル密度レベルに対して−４０ｄＢｒ未満である。
【０００９】
[0009]別の態様では、ワイヤレス通信のための装置が提供される。本装置は、少なくとも１つの直交周波数分割多重（ＯＦＤＭ）シンボルを使用した１ＭＨｚの帯域幅上でのワイヤレス信号を介した送信のためのパケットを生成するための手段を含む。本装置は、電力スペクトル密度を有するワイヤレス信号を介してパケットを送信するための手段をさらに含む。ワイヤレス信号の中心周波数の±０．４５ＭＨｚ内の電力スペクトル密度は第１の電力スペクトル密度レベルにある。ワイヤレス信号の中心周波数から０．４５ＭＨｚと０．６ＭＨｚとの間およびワイヤレス信号の中心周波数から−０．４５ＭＨｚと−０．６ＭＨｚとの間の電力スペクトル密度は第１の電力スペクトル密度レベル未満である。ワイヤレス信号の中心周波数から０．６ＭＨｚと１ＭＨｚとの間およびワイヤレス信号の中心周波数から−０．６ＭＨｚと−１ＭＨｚとの間の電力スペクトル密度は第１の電力スペクトル密度レベルに対して−２０ｄＢｒ未満である。ワイヤレス信号の中心周波数から１ＭＨｚと１．５ＭＨｚとの間およびワイヤレス信号の中心周波数から−１ＭＨｚと−１．５ＭＨｚとの間の電力スペクトル密度は第１の電力スペクトル密度レベルに対して−２８ｄＢｒ未満である。ワイヤレス信号の中心周波数から±１．５ＭＨｚよりも大きい電力スペクトル密度は第１の電力スペクトル密度レベルに対して−４０ｄＢｒ未満である。
【００１０】
[0010]別の態様では、コンピュータ可読媒体を含むコンピュータプログラム製品が提供される。本コンピュータ可読媒体は、少なくとも１つの直交周波数分割多重（ＯＦＤＭ）シンボルを使用した１ＭＨｚの帯域幅上でのワイヤレス信号を介した送信のためのパケットを生成するためのコードを含む。本コンピュータ可読媒体は、電力スペクトル密度を有するワイヤレス信号を介してパケットを送信するためのコードをさらに含む。ワイヤレス信号の中心周波数の±０．４５ＭＨｚ内の電力スペクトル密度は第１の電力スペクトル密度レベルにある。ワイヤレス信号の中心周波数から０．４５ＭＨｚと０．６ＭＨｚとの間およびワイヤレス信号の中心周波数から−０．４５ＭＨｚと−０．６ＭＨｚとの間の電力スペクトル密度は第１の電力スペクトル密度レベル未満である。ワイヤレス信号の中心周波数から０．６ＭＨｚと１ＭＨｚとの間およびワイヤレス信号の中心周波数から−０．６ＭＨｚと−１ＭＨｚとの間の電力スペクトル密度は第１の電力スペクトル密度レベルに対して−２０ｄＢｒ未満である。ワイヤレス信号の中心周波数から１ＭＨｚと１．５ＭＨｚとの間およびワイヤレス信号の中心周波数から−１ＭＨｚと−１．５ＭＨｚとの間の電力スペクトル密度は第１の電力スペクトル密度レベルに対して−２８ｄＢｒ未満である。ワイヤレス信号の中心周波数から±１．５ＭＨｚよりも大きい電力スペクトル密度は第１の電力スペクトル密度レベルに対して−４０ｄＢｒ未満である。
【図面の簡単な説明】
【００１１】
【図１】本開示の態様が採用され得るワイヤレス通信システムの一例を示す図。
【図２】図１のワイヤレス通信システム内で採用され得る例示的なワイヤレスデバイスの機能ブロック図。
【図３】ワイヤレス通信を送信するために図２のワイヤレスデバイスにおいて利用され得る例示的な構成要素の機能ブロック図。
【図４】ワイヤレス通信を受信するために図２のワイヤレスデバイスにおいて利用され得る例示的な構成要素の機能ブロック図。
【図５】ワイヤレス通信を送信するために図２のワイヤレスデバイスなどのワイヤレスデバイスにおいて実装され得る例示的なＭＩＭＯシステムの機能ブロック図。
【図６】ワイヤレス通信を受信するために図２のワイヤレスデバイスなどのワイヤレスデバイスにおいて実装され得る例示的なＭＩＭＯシステムの機能ブロック図。
【図７】物理レイヤパケットのプリアンブルとペイロードとの例示的な構造を示すブロック図。
【図８Ａ】実質的に１ＭＨｚの帯域幅上での送信のための物理レイヤパケットのプリアンブルとペイロードとの例示的な構造を示すブロック図。
【図８Ｂ】シングルユーザモードによる、実質的に２ＭＨｚの帯域幅上での送信のための物理レイヤパケットのプリアンブルとペイロードとの例示的な構造を示すブロック図。
【図８Ｃ】マルチユーザモードによる、実質的に２ＭＨｚの帯域幅上での送信のための物理レイヤパケットのプリアンブルとペイロードとの例示的な構造を示すブロック図。
【図９】１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界のプロットを示す図。
【図１０Ａ】一実施形態による、１ＭＨｚ  ＯＦＤＭ送信のための例示的なスペクトルマスクの図。
【図１０Ｂ】一実施形態による、２ＭＨｚ  ＯＦＤＭ送信のための例示的なスペクトルマスクの図。
【図１０Ｃ】一実施形態による、４ＭＨｚ  ＯＦＤＭ送信のための例示的なスペクトルマスクの図。
【図１０Ｄ】一実施形態による、８ＭＨｚ  ＯＦＤＭ送信のための例示的なスペクトルマスクの図。
【図１０Ｅ】一実施形態による、１６ＭＨｚ  ＯＦＤＭ送信のための例示的なスペクトルマスクの図。
【図１１】１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットを示す図。
【図１２Ａ】別の実施形態による、１ＭＨｚおよび２ＭＨｚ  ＯＦＤＭ送信のための例示的なスペクトルマスクの図。
【図１２Ｂ】別の実施形態による、４ＭＨｚ  ＯＦＤＭ送信のための例示的なスペクトルマスクの図。
【図１２Ｃ】別の実施形態による、８ＭＨｚ  ＯＦＤＭ送信のための例示的なスペクトルマスクの図。
【図１２Ｄ】別の実施形態による、１６ＭＨｚ  ＯＦＤＭ送信のための例示的なスペクトルマスクの図。
【図１３】１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットを示す図。
【図１４Ａ】別の実施形態による、１ＭＨｚ  ＯＦＤＭ送信のための例示的なスペクトルマスクの図。
【図１４Ｂ】別の実施形態による、２ＭＨｚ  ＯＦＤＭ送信のための例示的なスペクトルマスクの図。
【図１４Ｃ】別の実施形態による、４ＭＨｚ  ＯＦＤＭ送信のための例示的なスペクトルマスクの図。
【図１４Ｄ】別の実施形態による、８ＭＨｚ  ＯＦＤＭ送信のための例示的なスペクトルマスクの図。
【図１４Ｅ】別の実施形態による、１６ＭＨｚ  ＯＦＤＭ送信のための例示的なスペクトルマスクの図。
【図１５】１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットを示す図。
【図１６Ａ】別の実施形態による、１ＭＨｚ  ＯＦＤＭ送信のための例示的なスペクトルマスクの図。
【図１６Ｂ】別の実施形態による、２ＭＨｚ  ＯＦＤＭ送信のための例示的なスペクトルマスクの図。
【図１６Ｃ】別の実施形態による、４ＭＨｚ  ＯＦＤＭ送信のための例示的なスペクトルマスクの図。
【図１６Ｄ】別の実施形態による、８ＭＨｚ  ＯＦＤＭ送信のための例示的なスペクトルマスクの図。
【図１６Ｅ】別の実施形態による、１６ＭＨｚ  ＯＦＤＭ送信のための例示的なスペクトルマスクの図。
【図１７】１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットを示す図。
【図１８Ａ】別の実施形態による、１ＭＨｚ  ＯＦＤＭ送信のための例示的なスペクトルマスクの図。
【図１８Ｂ】別の実施形態による、２ＭＨｚ  ＯＦＤＭ送信のための例示的なスペクトルマスクの図。
【図１８Ｃ】別の実施形態による、４ＭＨｚ  ＯＦＤＭ送信のための例示的なスペクトルマスクの図。
【図１８Ｄ】別の実施形態による、８ＭＨｚ  ＯＦＤＭ送信のための例示的なスペクトルマスクの図。
【図１８Ｅ】別の実施形態による、１６ＭＨｚ  ＯＦＤＭ送信のための例示的なスペクトルマスクの図。
【図１９】パケットを生成し、ワイヤレス信号を介して送信するための例示的な方法のフローチャート。
【図２０】図１のワイヤレス通信システム内で採用され得る別の例示的なワイヤレスデバイスの機能ブロック図。
【図２１】図１のワイヤレス通信システム内で採用され得るまた別の例示的なワイヤレスデバイスの機能ブロック図。
【発明を実施するための形態】
【００１２】
[0034]添付の図面を参照しながら新規のシステム、装置、および方法の様々な態様について以下でより十分に説明する。ただし、本教示開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１３】
[0035]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１４】
[0036]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用する、ＩＥＥＥ８０２．１１ａｈプロトコルの一部として使用され得る。
【００１５】
[0037]いくつかの態様では、サブギガヘルツ帯域中のワイヤレス信号は、直交周波数分割多重（ＯＦＤＭ）通信、ダイレクトシーケンススペクトラム拡散（ＤＳＳＳ：direct-sequence spread spectrum）通信、ＯＦＤＭ通信とＤＳＳＳ通信の組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利なことに、８０２．１１ａｈプロトコルを実装するいくつかのデバイスの態様は、他のワイヤレスプロトコルを実装するデバイスよりも少ない電力を消費し得、および／または比較的長い範囲、たとえば約１キロメートル以上にわたって、ワイヤレス信号を送信するために使用され得る。
【００１６】
[0038]本明細書で説明するデバイスのうちのいくつかは、さらに、多入力多出力（ＭＩＭＯ）技術を実装し、８０２．１１ａｈ規格の一部として実装され得る。ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【００１７】
[0039]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１８】
[0040]また、アクセスポイント（「ＡＰ」）は、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１９】
[0041]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２０】
[0042]上記で説明したように、本明細書で説明するデバイスのいくつかは、たとえば、８０２．１１ａｈ規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサーアプリケーションを与えるか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえば、ホットスポットとともに使用する）拡張された範囲のインターネット接続性を可能にするために、またはマシンツーマシン通信を実装するために、監視のために使用され得る。
【００２１】
[0043]図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ＳＴＡ１０６ａ、１０６ｂ、１０６ｃ、および１０６ｄ（総称してＳＴＡ１０６）と通信する、ＡＰ１０４を含み得る。
【００２２】
[0044]様々なプロセスおよび方法が、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２３】
[0045]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２４】
[0046]ＡＰ１０４は、基地局として働き、基本サービスエリア（ＢＳＡ：basic service area）１０２においてワイヤレス通信カバレージを与え得る。ＡＰ１０４は、ＡＰ１０４に関連付けられ、ＡＰ１０４を通信のために使用する、ＳＴＡ１０６とともに、基本サービスセット（ＢＳＳ：basic service set）と呼ばれることがある。ワイヤレス通信システム１００は、中央のＡＰ１０４を有しないことがあり、むしろＳＴＡ１０６間のピアツーピアネットワークとして機能することがあることに留意されたい。したがって、本明細書で説明するＡＰ１０４の機能は、ＳＴＡ１０６のうちの１つまたは複数によって代替的に実行され得る。
【００２５】
[0047]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、図１のＡＰ１０４、またはＳＴＡ１０６のうちの１つを備え得る。
【００２６】
[0048]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００２７】
[0049]プロセッサ２０４は、１つまたは複数のプロセッサとともに実装された処理システムを備え得るか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００２８】
[0050]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００２９】
[0051]ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３０】
[0052]ワイヤレスデバイス２０２はまた、トランシーバ２１４によって受信された信号のレベルを検出し、定量化するために使用され得る信号検出器２１８を含み得る。信号検出器２１８は、総エネルギー、シンボルごとのサブキャリア当たりのエネルギー、電力スペクトル密度および他の信号などの信号を検出し得る。ワイヤレスデバイス２０２はまた、信号を処理する際に使用するためのデジタル信号プロセッサ（ＤＳＰ）２２０を含み得る。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００３１】
[0053]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００３２】
[0054]ワイヤレスデバイス２０２の様々な構成要素はバスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを当業者は諒解されよう。
【００３３】
[0055]いくつかの別個の構成要素が図２に示されているが、それらの構成要素のうちの１つまたは複数は、組み合わされるかまたは通常実装され得る。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。さらに、プロセッサ２０４は、以下で説明する構成要素、モジュール、回路などのいずれかを実装するために使用され得、または各々が複数の別個の要素を使用して実装され得る。
【００３４】
[0056]上記で説明したように、ワイヤレスデバイス２０２は、ＡＰ１０４またはＳＴＡ１０６を備え得、通信を送信および／または受信するために使用され得る。図３に、ワイヤレス通信を送信するためにワイヤレスデバイス２０２において利用され得る様々な構成要素を示す。図３に示された構成要素は、たとえば、ＯＦＤＭ通信を送信するために使用され得る。いくつかの態様では、図３に示された構成要素は、以下でさらに詳細に説明するように、１．２５ＭＨｚ以下の帯域幅上で送られるべきパケットを生成し、送信するために使用される。
【００３５】
[0057]図３のワイヤレスデバイス２０２ａは、送信のためにビットを変調するように構成される変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを判断し得る。それらのビットは、ユーザデータまたは制御情報に対応し得る。いくつかの態様では、それらのビットはコードワードにおいて受信される。一態様では、変調器３０２は、ＱＡＭ（直交振幅変調：quadrature amplitude modulation）変調器、たとえば１６ＱＡＭ変調器または６４ＱＡＭ変調器を備える。他の態様では、変調器３０２は、２位相シフトキーイング（ＢＰＳＫ：binary phase-shift keying）変調器または４位相シフトキーイング（ＱＰＳＫ：quadrature phase-shift keying）変調器を備える。
【００３６】
[0058]ワイヤレスデバイス２０２ａは、変調器３０２からのシンボルまたはさもなければ変調されたビットを時間領域に変換するように構成される変換モジュール３０４をさらに備え得る。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）があり得る。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数のポイントを使用し得る。たとえば、ＩＦＦＴは、３２個のトーン（すなわち、サブキャリア）上で送信されているシンボルを時間領域に変換するために３２ポイントが使用されるモードと、６４個のトーン上で送信されているシンボルを時間領域に変換するために６４ポイントが使用されるモードとを有し得る。変換モジュール３０４によって使用されるポイントの数は、変換モジュール３０４のサイズと呼ばれることがある。
【００３７】
[0059]図３では、変調器３０２と変換モジュール３０４は、ＤＳＰ３２０中で実装されるものとして示されている。しかしながら、いくつかの態様では、変調器３０２と変換モジュール３０４の一方または両方が、プロセッサ２０４中でまたはワイヤレスデバイス２０２ａの別の要素（たとえば、図２に関する上記の説明を参照）中で実装される。
【００３８】
[0060]上記で説明したように、ＤＳＰ３２０は、送信のためのデータユニットを生成するように構成され得る。いくつかの態様では、変調器３０２および変換モジュール３０４は、制御情報を含む複数のフィールドと複数のデータシンボルとを備えるデータユニットを生成するように構成され得る。制御情報を含むそれらのフィールドは、たとえば、１つまたは複数のトレーニングフィールドと、１つまたは複数の信号（ＳＩＧ）フィールドとを備え得る。トレーニングフィールドの各々は、値またはシンボルの既知のシーケンスを含み得る。ＳＩＧフィールドの各々は、データユニットに関する情報、たとえばデータユニットの長さまたはデータレートの記述を含み得る。
【００３９】
[0061]図３の説明に戻ると、ワイヤレスデバイス２０２ａは、変換モジュールの出力をアナログ信号に変換するように構成されるデジタルアナログ変換器３０６をさらに備え得る。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたは図２のワイヤレスデバイス２０２の別の要素中で実装され得る。いくつかの態様では、デジタルアナログ変換器３０６は、トランシーバ２１４（図２）中でまたはデータ送信プロセッサ中で実装される。
【００４０】
[0062]アナログ信号は送信機３１０によってワイヤレス送信され得る。アナログ信号は、送信機３１０によって送信される前に、たとえばフィルタ処理されることによってあるいは中間またはキャリア周波数にアップコンバートされることによって、さらに処理され得る。図３に示す態様では、送信機３１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【００４１】
[0063]送信機３１０は、アナログ信号に基づいてワイヤレス信号中の１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換モジュール３０４を使用して、生成され得る。上記で説明したように生成され、送信され得るデータユニットについて、図５〜図１８に関して以下でさらに詳細に説明する。
【００４２】
[0064]図４に、ワイヤレス通信を受信するために図２のワイヤレスデバイス２０２において利用され得る様々な構成要素を示す。図４に示された構成要素は、たとえば、ＯＦＤＭ通信を受信するために使用され得る。いくつかの態様では、図４に示された構成要素は、１．２５ＭＨｚ以下の帯域幅上でデータユニットを受信するために使用される。たとえば、図４に示された構成要素は、図３に関して上記で説明した構成要素によって送信されたデータユニットを受信するために使用され得る。
【００４３】
[0065]ワイヤレスデバイス２０２ｂの受信機４１２は、ワイヤレス信号中の１つまたは複数のパケットまたはデータユニットを受信するように構成される。以下で説明するように受信され、復号され、またはさもなければ処理され得るデータユニットについて、図５〜図２１に関してさらに詳細に説明する。
【００４４】
[0066]図４に示された態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ：automatic gain control）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者はＡＧＣを実行するための方法を理解されよう。いくつかの態様では、増幅器４０１はＬＮＡを備える。
【００４５】
[0067]ワイヤレスデバイス２０２ｂは、受信機４１２からの増幅されたワイヤレス信号をそれのデジタル表現に変換するように構成されるアナログデジタル変換器４１０を備え得る。増幅されることに加えて、ワイヤレス信号は、デジタルアナログ変換器４１０によって変換される前に、たとえばフィルタ処理されることによってあるいは中間またはベースバンド周波数にダウンコンバートされることによって、処理され得る。アナログデジタル変換器４１０は、プロセッサ２０４（図２）中でまたはワイヤレスデバイス２０２ｂの別の要素中で実装され得る。いくつかの態様では、アナログデジタル変換器４１０は、トランシーバ２１４（図２）中でまたはデータ受信プロセッサ中で実装される。
【００４６】
[0068]ワイヤレスデバイス２０２ｂは、ワイヤレス信号の表現を周波数スペクトルに変換するように構成される変換モジュール４０４をさらに備え得る。図４では、変換モジュール４０４は、高速フーリエ変換（ＦＦＴ）モジュールによって実装されるものとして示されている。いくつかの態様では、変換モジュールは、それが使用する各ポイントについてシンボルを識別し得る。図３に関して上記で説明したように、変換モジュール４０４は、複数のモードで構成され得、各モードで信号を変換するために異なる数のポイントを使用し得る。たとえば、変換モジュール４０４は、３２個のトーン上で受信された信号を周波数スペクトルに変換するために３２ポイントが使用されるモードと、６４個のトーン上で受信された信号を周波数スペクトルに変換するために６４ポイントが使用されるモードとを有し得る。変換モジュール４０４によって使用されるポイントの数は、変換モジュール４０４のサイズと呼ばれることがある。いくつかの態様では、変換モジュール４０４は、それが使用する各ポイントについてシンボルを識別し得る。
【００４７】
[0069]ワイヤレスデバイス２０２ｂは、データユニットがそれを介して受信されるチャネルの推定値を形成することと、チャネル推定値に基づいてチャネルのいくつかの影響を除去することとを行うように構成される、チャネル推定器および等化器４０５をさらに備え得る。たとえば、チャネル推定器４０５は、チャネルの関数を近似するように構成され得、チャネル等化器は、その関数の逆を周波数スペクトルにおけるデータに適用するように構成され得る。
【００４８】
[0070]いくつかの態様では、チャネル推定器および等化器４０５は、たとえば、チャネルを推定するために、ロングトレーニングフィールド（ＬＴＦ：long training field）など、１つまたは複数の受信されたトレーニングフィールド中の情報を使用する。チャネル推定値は、データユニットの始端において受信された１つまたは複数のＬＴＦに基づいて形成され得る。このチャネル推定値は、その後、上記１つまたは複数のＬＴＦに続くデータシンボルを等化するために使用され得る。一定の時間期間の後にまたは一定数のデータシンボルの後に、データユニット中で１つまたは複数の追加のＬＴＦが受信され得る。追加のＬＴＦを使用して、チャネル推定値は更新され得、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者はチャネル推定値を形成するための方法を理解されよう。
【００４９】
[0071]ワイヤレスデバイス２０２ｂは、等化されたデータを復調するように構成される復調器４０６をさらに備え得る。たとえば、復調器４０６は、たとえばコンスタレーションにおけるビットとシンボルとのマッピングを逆転させることによって、変換モジュール４０４とチャネル推定器および等化器４０５とによって出力されたシンボルから複数のビットを判断し得る。それらのビットは、プロセッサ２０４（図２）によって処理または評価され得るか、あるいはユーザインターフェース２２２（図２）に情報を表示するかまたはさもなければ出力するために、使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相偏移変調（ＢＰＳＫ）復調器または４位相偏移変調（ＱＰＳＫ）復調器を備える。
【００５０】
[0072]図４では、変換モジュール４０４と、チャネル推定器および等化器４０５と、復調器４０６とは、ＤＳＰ４２０中で実装されるものとして示されている。しかしながら、いくつかの態様では、変換モジュール４０４と、チャネル推定器および等化器４０５と、復調器４０６とのうちの１つまたは複数が、プロセッサ２０４（図２）中でまたはワイヤレスデバイス２０２（図２）の別の要素中で実装される。
【００５１】
[0073]上記で説明したように、受信機２１２において受信されたワイヤレス信号は、１つまたは複数のデータユニットを備える。上記で説明した機能または構成要素を使用して、データユニットまたはそれの中のデータシンボルは、復号され評価される、あるいはさもなければ評価または処理され得る。たとえば、プロセッサ２０４（図２）および／またはＤＳＰ４２０は、変換モジュール４０４と、チャネル推定器および等化器４０５と、復調器４０６とを使用して、データユニット中のデータシンボルを復号するために、使用され得る。
【００５２】
[0074]ＡＰ１０４とＳＴＡ１０６とによって交換されるデータユニットは、上記で説明したように、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを備え得る。プリアンブルはトレーニングフィールドとＳＩＧフィールドとを含み得る。ペイロードは、たとえば、メディアアクセス制御（ＭＡＣ）ヘッダまたは他のレイヤのためのデータ、および／またはユーザデータを備え得る。ペイロードは、１つまたは複数のデータシンボルを使用して送信され得る。本明細書のシステム、方法、およびデバイスは、ピーク対電力比が最小限に抑えられたトレーニングフィールドをもつデータユニットを利用し得る。
【００５３】
[0075]図３に示されたワイヤレスデバイス２０２ａは、アンテナを介して送信されるべき単一の送信チェーンの一例を示している。図４に示されたワイヤレスデバイス２０２ｂは、アンテナを介して受信されるべき単一の受信チェーンの一例を示している。いくつかの実装形態では、ワイヤレスデバイス２０２ａまたは２０２ｂは、データを同時に送信するために複数のアンテナを使用してＭＩＭＯシステムの一部分を実装し得る。
【００５４】
[0076]図５は、ワイヤレス通信を送信および受信するために図２のワイヤレスデバイス２０２などのワイヤレスデバイスにおいて実装され得るＭＩＭＯシステムの機能ブロック図である。ＭＩＭＯシステムは、図３を参照しながら説明した構成要素の一部または全部を利用し得る。受信機の出力において受信されるべき、送信のためのビットが、エンコーダ５０４に与えられる。エンコーダ５０４は、そのビットストリームに対して前方誤り訂正（ＦＥＣ）コードを適用し得る。ＦＥＣコードは、ブロックコード、畳み込みコードなどであり得る。符号化されたビットは、符号化されたビットをＮ個の送信ストリームに分配するインターリービングシステム５０５に与えられる。
【００５５】
[0077]インターリービングシステム５０５は、エンコーダ５０４からの入力ビットストリームをＮ個の空間ストリームインターリーバ５０８ａ、５０８ｂ、および５０８ｎにパースする、ストリームパーサ５０６を含む。ストリームパーサ５０６は、空間ストリームの数を与えられ、ラウンドロビンベースでビットをパースし得る。他のパース関数も使用され得る。使用され得る１つのパース関数はｋn＝ＮTX＊ｋ＋ｎである（すなわち、空間ストリームごとに１ビットを用いて、次いで次の空間ストリームに移る、ラウンドロビンであり、ここで、ｋnは入力ビットインデックスであり、ＮTXは送信機／空間ストリームの数である）。別のより一般的な関数ｆ（ｋ，ｎ）も使用され得、たとえば、ある空間ストリームに２ビットを送り、次いで次の空間ストリームに移る。各インターリーバ５０８ａ、５０８ｂ、および５０８ｎは、それぞれ、その後、フェージングまたは他のチャネル状態による誤りが修復され得るように、ビットを分配し得る。以下で、インターリーバ５０８ａ、５０８ｂ、および５０８ｎはインターリーバ５０８に関連されることがある。
【００５６】
[0078]各送信ストリームは、次いで変調器５０２ａ、５０２ｂ、または５０２ｎによって変調され得る。図３を参照しながら上記で説明したように、ビットは、ＱＰＳＫ（１／４位相シフトキーイング）変調、ＢＰＳＫ（一度に１ビットをマッピングする）、１６ＱＡＭ（６ビットのグループをマッピングする）、６４ＱＡＭなど、変調技法を使用して変調され得る。各ストリームについて変調されたビットは、変換モジュール５１０ａ、５１０ｂ、および５１０ｎに与えられ得る。いくつかの実装形態では、変換モジュール５１０ａ、５１０ｂ、および５１０ｎは、変調されたビットを周波数領域から時間領域に変換するために逆離散時間フーリエ変換（ＩＤＦＴ：inverse discrete time fourier transform）を実行し得る。変換モジュール５１０ａ、５１０ｂ、および５１０ｎは、図３を参照しながら上記で説明したように、異なるモードに従って動作し得る。たとえば、変換モジュール５１０ａ、５１０ｂ、および５１０ｎは、３２ポイントモードまたは６４ポイントモードに従って動作するように構成され得る。いくつかの実装形態では、変調されたビットは、変換モジュール５１０ａ、５１０ｂ、および５１０ｎに与えられる前に、時空間ブロックコーディング（ＳＴＢＣ：space time block coding）を使用して符号化され得、空間マッピングが実行され得る。変調されたビットが各空間ストリームについて時間領域信号に変換された後、その時間領域信号は、図３を参照しながら上記で説明したように、変換器５１２ａ、５１２ｂ、および５１２ｎを介してアナログ信号に変換され得る。その信号は、次いで、送信機５１４ａ、５１４ｂ、および５１４ｃを使用して、ならびにアンテナ５１６ａ、５１６ｂ、または５１６ｎを使用して、所望の周波数帯域幅（たとえば、１ＭＨｚ、２ＭＨｚ、４ＭＨｚ、８ＭＨｚ、および１６ＭＨｚ、またはより高い周波数帯域幅）上でワイヤレス無線空間中に送信され得る。
【００５７】
[0079]いくつかの実施形態では、アンテナ５１６ａ、５１６ｂ、および５１６ｎは、別個であり、空間的に分離したアンテナである。他の実施形態では、別個の信号が合成されて、Ｎ個よりも少数のアンテナからの異なる偏波になり得る。このことの一例は、空間回転または空間拡散が行われ、複数の空間ストリームが単一のアンテナ上にマッピングされる場合である。いずれの場合も、別個の空間ストリームが異なる方法で編成され得ることを理解されたい。たとえば、ある送信アンテナが、２つ以上の空間ストリームからのデータを搬送し得、またはいくつかの送信アンテナが、ある空間ストリームからのデータを搬送し得る。たとえば、４つの送信アンテナと２つの空間ストリームとを用いた送信機の事例について考える。各空間ストリームは、その場合、２つの送信アンテナ上にマッピングされ得、したがって２つのアンテナが、ただ１つの空間ストリームからのデータを搬送している。
【００５８】
[0080]図６は、ワイヤレス通信を受信するために図２のワイヤレスデバイス２０２などのワイヤレスデバイスにおいて実装され得る例示的なＭＩＭＯシステムの機能ブロック図である。ＭＩＭＯシステムはさらに、図４を参照しながら説明した構成要素の一部または全部を利用し得る。ワイヤレスデバイス２０２ｂは、図５のアンテナ５１６ａ、５１６ｂ、および５１６ｎからの送信を同時に受信するように構成され得る。ワイヤレスデバイス２０２ｂは、Ｎ個の受信回路に結合されたＮ個のアンテナ５１８ａ、５１８ｂ、および５１８ｎ、または６１８ａ、６８１ｂ、および６８１ｎ（適宜に、別個の偏波を計数する）においてチャネルから信号を受信する。それらの信号は、次いで、受信された信号を増幅するように構成される増幅器をそれぞれ含み得る受信機６２０ａ、６２０ｂ、および６２０ｎに与えられる。それらの信号は、次いで、変換器６２２ａ、６２２ｂ、および６２２ｎを介してデジタル形式に変換され得る。
【００５９】
[0081]変換された信号は、次いで、変換モジュール６２４ａ、６２４ｂ、および６２４ｎを介して周波数スペクトルに変換され得る。上記で説明したように、変換モジュール６２４ａ、６２４ｂ、および６２４ｎは、様々なモードに従って、ならびに使用されるサイズおよび帯域幅に従って動作し得る（たとえば、３２ポイント、６４ポイントなど）。変換された信号は、図４を参照しながら上記で説明したのと同様に機能し得る、それぞれのチャネル推定器および等化器ブロック６２６ａ、６２６ｂ、および６２６ｎに与えられ得る。チャネル推定の後に、その出力は（たとえば、図５のＭＩＭＯ検出器５２８に対応する）ＭＩＭＯ検出器６２８に与えられ得、ＭＩＭＯ検出器６２８は、その後それの出力を復調器６３０ａ、６３０ｂ、および６３０ｎに与え得、復調器６３０ａ、６３０ｂ、および６３０ｎは、上記で説明したような変調技法のうちの１つに従ってビットを復調し得る。復調されたビットは、次いでデインターリーバ６３２ａ、６３２ｂ、および６３２ｎに与えられ得、デインターリーバ６３２ａ、６３２ｂ、および６３２ｎは、ビットをストリームデパーサ６３４中に受け渡し得、ストリームデパーサ６３４は、それらのビットを単一ビットストリームにして（たとえば、図５のＭＩＭＯ検出器５２８に対応する）デコーダ６３６中に与え得、デコーダ６３６は、それらのビットを適切なデータストリームに復号し得る。
【００６０】
[0082]上記で説明したように、ＡＰ１０４とＳＴＡ１０６とによって交換されるデータユニットは、上記で説明したように、物理（ＰＨＹ）レイヤパケットまたは物理レイヤプロトコルデータユニット（ＰＰＤＵ）の形態の、制御情報またはデータを含み得る。
【００６１】
[0083]図７は、物理レイヤパケット７００のプリアンブル７０２とペイロード７１０との例示的な構造を示すブロック図である。プリアンブル７０２は、既知の値のＳＴＦシーケンスを含むショートトレーニングフィールド（ＳＴＦ）７０４を含み得る。いくつかの態様では、ＳＴＦは、パケット検出のために（たとえば、パケットの開始を検出するために）および粗い時間／周波数の推定のために使用され得る。ＳＴＦシーケンスは、低いＰＡＰＲを有するように最適化され、特定の周期性をもつ非０トーンのサブセットを含み得る。ＳＴＦ７０４は１つまたは複数のＯＦＤＭシンボルにまたがり得る。いくつかの態様では、プリアンブル７０２は、１つまたは複数のＯＦＤＭシンボルにまたがり得、既知の非０値の１つまたは複数のＬＴＦシーケンスを含み得る、ロングトレーニングフィールド（ＬＴＦ）７０６をさらに含み得る。ＬＴＦは、チャネル推定、精細な時間／周波数の推定、およびモード検出のために使用され得る。さらに、いくつかの態様では、プリアンブル７０２は、上記で説明したように信号フィールド（ＳＩＧ）７０８を含み得、ＳＩＧ７０８は、一態様では、モード検出目的と送信パラメータの判断とのために使用される、いくつかのビットまたは値を含み得る。
【００６２】
[0084]本明細書で説明するいくつかの実装形態は、スマートメータリングのために使用され得、またはスマートグリッドネットワークにおいて使用され得る、ワイヤレス通信システムを対象とし得る。これらのワイヤレス通信システムは、センサー適用例を与えるために使用されるか、またはホームオートメーションにおいて使用され得る。そのようなシステムにおいて使用されるワイヤレスデバイスは、代わりにまたはさらに、ヘルスケアの情況において、たとえば、パーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。したがって、いくつかの実装形態は、約１５０Ｋｐｂｓなどの低いデータレートを使用し得る。実装形態は、さらに、８０２．１１ｂなどの他のワイヤレス通信よりも増加したリンクバジェット利得（たとえば、約２０ｄＢ）を有し得る。低いデータレートに従って、ワイヤレスノードが住宅環境において使用するために構成される場合、いくつかの態様は、電力増幅を用いない良好な住宅内カバレージの実装形態を対象とし得る。さらに、いくつかの態様は、ＭＥＳＨプロトコルを使用せずにシングルホップネットワーキングを対象とし得る。さらに、いくつかの実装形態により、他のワイヤレスプロトコルよりも、電力増幅を用いた著しい屋外カバレージの改善が生じ得る。さらに、いくつかの態様は、大きい屋外遅延拡散とドップラーに対する低減感度とに適応し得る実装形態を対象とし得る。いくつかの実装形態は、従来のＷｉＦｉと同様のＬＯ精度を達成し得る。
【００６３】
[0085]したがって、いくつかの実装形態は、サブギガヘルツ帯域中のワイヤレス信号を送信および受信することを対象とする。一態様では、これにより、たとえば、８．５ｄＢの伝搬利得が生じ得る（たとえば、９００ＭＨｚ対２．４ＧＨｚにより利用可能）。別の態様では、サブギガヘルツ信号を使用することによって障害ロスが低減され得、これにより、たとえば、３ｄＢの利得が生じ得る。
【００６４】
[0086]いくつかの実装形態は、サブギガヘルツ帯域中の低い帯域幅を用いてワイヤレス信号を送ることをさらに対象とする。これは、他のワイヤレス通信システムよりも大きいリンクバジェット利得を達成することをさらに可能にし得る。たとえば、例示的な一実装形態では、シンボルは、１ＭＨｚの帯域幅を使用して送信または受信されるように構成され得る。図２のワイヤレスデバイス２０２は、いくつかのモードのうちの１つで動作するように構成され得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するために追加のモードも与えられ得る。帯域幅はチャネル幅と呼ばれることもある。
【００６５】
[0087]各モードは、情報を送信するために異なる数のトーン／サブキャリアを使用し得る。たとえば、一実装形態では、（１ＭＨｚの帯域幅を使用してシンボルを送信または受信することに対応する）１ＭＨｚモードが３２個のトーンを使用し得る。一態様では、１ＭＨｚモードを使用することは、２０ＭＨｚなどの帯域幅と比較して１３ｄＢの雑音低減を実現し得る。さらに、チャネル状態に応じて４〜５ｄＢのロスが生じ得る、より低い帯域幅による周波数ダイバーシティロスなど、影響を克服するために、低レート技法が使用され得る。３２個のトーンを使用して送信または受信されるシンボルを生成／評価するために、上記の図３および図４を参照しながら上記で説明した変換モジュール３０４または４０４は、３２ポイントモード（たとえば、３２ポイントＩＦＦＴまたはＦＦＴ）を使用するように構成され得る。３２個のトーンは、データトーン、パイロットトーン、ガードトーン、およびＤＣトーンとして割り振られ得る。一実装形態では、２４個のトーンがデータトーンとして割り振られ得、２つのトーンがパイロットトーンとして割り振られ得、５つのトーンがガードトーンとして割り振られ得、１つのトーンがＤＣトーンのために予約され得る。この実装形態では、シンボル持続時間は、サイクリックプレフィックスを含む４０μｓであるように構成され得る。
【００６６】
[0088]たとえば、ワイヤレスデバイス２０２ａ（図３）は、１ＭＨｚの帯域幅を使用したワイヤレス信号を介した送信のためのパケットを生成するように構成され得る。一態様では、その帯域幅は約１ＭＨｚであり得、ここで、約１ＭＨｚは０．８ＭＨｚ〜１．２ＭＨｚの範囲内であり得る。パケットは、上記で説明したようにＤＳＰ３２０（図３）または他のプロセッサを使用して、説明したように割り振られた３２個のトーンを有する１つまたは複数のＯＦＤＭシンボルから形成され得る。送信チェーン中の変換モジュール３０４（図３）は、パケットを時間領域信号に変換するために３２ポイントモードに従って動作するＩＦＦＴモジュールとして構成され得る。送信機３１０（図３）は、次いで、パケットを送信するように構成され得る。
【００６７】
[0089]同様に、ワイヤレスデバイス２０２ｂ（図４）は、１ＭＨｚの帯域幅上でパケットを受信するように構成され得る。一態様では、その帯域幅は約１ＭＨｚであり得、ここで、約１ＭＨｚは０．８ＭＨｚ〜１．２ＭＨｚの範囲内であり得る。ワイヤレスデバイス２０２ｂは、時間領域信号を周波数スペクトルに変換するために３２ポイントモードに従って動作するＦＦＴモジュールとして構成され得る、受信チェーン中の変換モジュール４０４（図４）を含むＤＳＰ４２０を含み得る。ＤＳＰ４２０は、パケットを評価するように構成され得る。１ＭＨｚモードは、低いデータレートと「通常」レートとの両方のための変調およびコーディング方式（ＭＣＳ：modulation and coding scheme）をサポートし得る。いくつかの実装形態によれば、プリアンブル７０２は、以下でさらに説明するように、信頼できる検出と改善されたチャネル推定とを提供する低レートモードのために設計され得る。各モードは、そのモードと所望の特性とについて送信を最適化するように構成される対応するプリアンブルを使用するように構成され得る。
【００６８】
[0090]１ＭＨｚモードに加えて、６４個のトーンを使用してシンボルを送信および受信するために使用され得る、２ＭＨｚモードがさらに利用可能であり得る。一実装形態では、６４個のトーンは、５２個のデータトーン、４つのパイロットトーン、１つのＤＣトーン、および７つのガードトーンとして割り振られ得る。したがって、図３および図４の変換モジュール３０４または４０４は、２ＭＨｚシンボルを送信または受信するとき、６４ポイントモードに従って動作するように構成され得る。また、シンボル持続時間は、サイクリックプレフィックスを含む４０μｓであり得る。対応する異なるサイズのモードで動作する変換モジュール３０４または４０４（たとえば、１２８ポイントＦＦＴ、２５６ポイントＦＦＴ、５１２ポイントＦＦＴなど）を使用し得る、異なる帯域幅（たとえば、４ＭＨｚ、８ＭＨｚ、および１６ＭＨｚ）を用いた追加のモードが与えられ得る。さらに、上記で説明したモードの各々は、さらに、シングルユーザモードとマルチユーザモードの両方に従って、構成され得る。２ＭＨｚ以下の帯域幅を使用するワイヤレス信号は、帯域幅、電力、およびチャネルの制限の広い範囲にわたってグローバル規制制約を満たすように構成される、ワイヤレスノードを与えるための様々な利点を与え得る。
【００６９】
[0091]いくつかの態様では、ワイヤレスデバイス２０２（図２）は、いくつかのワイヤレス規格に従って、たとえば、８０２．１１規格のうちの１つに従って動作するように構成される。この構成では、ワイヤレスデバイス２０２は、２．４ＧＨｚまたは５ＧＨｚ帯域中の２０ＭＨｚチャネル幅で動作するためのモード、ならびに２．４ＧＨｚ帯域中の４０ＭＨｚチャネル幅で動作するためのモードを有し得る。別の態様では、ワイヤレスデバイス２０２は８０２．１１ａｃ規格に従って動作するように構成される。この構成では、ワイヤレスデバイス２０２は、２０ＭＨｚ、４０ＭＨｚ、および８０ＭＨｚのチャネル幅の各々で動作するためのモードを有する。概して、変換モジュール３０４または４０４は、ワイヤレスデバイス２０２が２０ＭＨｚ帯域で動作しているときは６４個のトーンを使用し得、ワイヤレスデバイス２０２が４０ＭＨｚ帯域で動作しているときは１２８個のトーンを使用し得、ワイヤレスデバイス２０２が８０ＭＨｚ帯域で動作しているときは２５６個のトーンを使用し得る。
【００７０】
[0092]いくつかの態様では、（たとえば、プロセッサ２０４またはＤＳＰ２２０などの）コントローラが、上記で説明したようにサブギガヘルツ帯域で動作するようにワイヤレスデバイス２０２図２の動作を調整するように構成される。一実装形態では、上記で説明したように１ＭＨｚ、２ＭＨｚ、４ＭＨｚなどのモードに従って動作するために、プロセッサ２０４は、ワイヤレスデバイス２０２が、１ＭＨｚ、２ＭＨｚ、４ＭＨｚ、８ＭＨｚ、または１６ＭＨｚモードで動作することになるように、ワイヤレスデバイス２０２中の構成要素のうちの１つまたは複数をダウンクロックするように構成され得る。そのようなダウンクロックされた動作中に、変換モジュール３０４または４０４によって使用されるトーンの数は、いくつかの態様では同じままであり得る。
【００７１】
[0093]ワイヤレスデバイス２０２の動作をダウンクロックすることは、図２に示した構成要素のうちの１つまたは複数を低減されたクロックレートで動作させることを備え得る。たとえば、上記ダウンクロックすることは、たとえばプロセッサ２０４、信号検出器２１８、ＤＳＰ２２０、および／または他のデジタル信号回路のうちの１つまたは複数のタイミング設定を調整するか、修正するか、または割り当てることによって、これらの構成要素をより低いレートで動作させることを備え得る。いくつかの態様では、ダウンクロックされた動作は、プロセッサ２０４からのコマンドに応答して実行される。いくつかの態様では、プロセッサ２０４は、２０ＭＨｚ、４０ＭＨｚ、または８０ＭＨｚのチャネル幅で動作するときに使用されるクロック信号と比較して低減されたクロック信号を与える。
【００７２】
[0094]いくつかの態様では、プロセッサ２０４は、図２のワイヤレスデバイス２０２の動作が係数１０で（たとえば、１０×で）ダウンクロックされることを引き起こすように構成される。そのような構成では、２０ＭＨｚチャネル幅での動作は２ＭＨｚチャネル幅での動作にダウンクロックされることになり、４０ＭＨｚチャネル幅での動作は４ＭＨｚチャネル幅での動作にダウンクロックされることになる。さらに、８０ＭＨｚチャネル幅での動作は８ＭＨｚチャネル幅での動作にダウンクロックされることになり、１６０ＭＨｚチャネル幅での動作は１６ＭＨｚチャネル幅での動作にダウンクロックされることになる。
【００７３】
[0095]上記で説明したのと同様に、一態様では、ＯＦＤＭシンボルの送信または受信のための１ＭＨｚ帯域幅が使用されるとき、３２ポイント変換モジュール３０４または４０４が使用され得る。この場合、トーンは、２４個のデータトーン、２つのパイロットトーン、５つのガードトーン、およびＤＣトーンとして割り振られ得る。別の態様では、ＯＦＤＭシンボルの送信または受信のための２ＭＨｚ帯域幅が使用されるとき、６４ポイント変換モジュール３０４または４０４が使用され得る。この場合、トーンは、５２個のデータトーン、４つのパイロットトーン、７つのガードトーン、およびＤＣトーンとして割り振られ得る。さらに別の態様では、ＯＦＤＭシンボルの送信または受信のための４ＭＨｚ帯域幅が使用されるとき、図３および図４の６４ポイント変換モジュール３０４または４０４が使用され得る。この場合、トーンは、１０８個のデータトーン、６つのパイロットトーン、１１個のガードトーン、および３つのＤＣトーンとして割り振られ得る。またさらなる態様では、ＯＦＤＭシンボルの送信または受信のための８ＭＨｚ帯域幅が使用されるとき、２５６ポイント変換モジュール３０４または４０４が使用され得る。この場合、トーンは、２３４個のデータトーン、８つのパイロットトーン、１１個のガードトーン、および３つのＤＣトーンとして割り振られ得る。したがって、これらの帯域幅のためのトーン間の間隔は３１．２５ＫＨｚであり得る。さらに、シンボル持続時間は、４μｓ（ショートサイクリックプレフィックスの場合）または８μｓ（ロングサイクリックプレフィックスの場合）のいずれかのサイクリックプレフィックスを含む４０μｓであり得る。アウトドア遅延拡散に適応するために、より長いサイクリックプレフィックスが使用され得る。さらに、サイクリックプレフィックスオーバーヘッドを管理可能に保つために、大きいシンボル持続時間が必要とされ得る。
【００７４】
[0096]いくつかの態様では、ワイヤレスデバイス２０２の動作がダウンクロックされる量は、あらかじめ判断される。たとえば、ダウンクロッキング係数は、メモリ２０６またはプロセッサ２０４に記憶され、ワイヤレスデバイス２０２の開始時にロードされ得る。そのような構成では、プロセッサ２０４により、ワイヤレスデバイス２０２は、あらかじめ判断されたまたはロードされたダウンクロッキング係数に従ってダウンクロックモードで動作し得る。
【００７５】
[0097]いくつかの態様では、ワイヤレスデバイス２０２の動作が所与の時間にダウンクロックされる量は、現場で判断され得る。たとえば、信号検出器２１８は、受信機２１２によって受信されたビーコンまたはパイロットからダウンクロッキング係数を判断し得る。いくつかの態様では、この係数は、デバイスの開始時に、またはネットワークに初めて接続するときに、判断される。いくつかの態様では、新しい係数が、ワイヤレスデバイス２０２のハンドオフ中に、またはワイヤレスデバイス２０２が新しいネットワークに接続するたびに、判断される。いくつかの態様では、あらかじめ判断された係数が、受信されたビーコンまたはパイロットに基づいてなど、受信された信号に基づいて、修正または更新され得る。このようにして、ワイヤレスデバイス２０２は、たとえば、そのデバイスのロケーション、またはそのデバイスが接続しているネットワークに従って、異なる帯域幅で動作し得る。プロセッサ２０４により、ワイヤレスデバイス２０２は、判断されたダウンクロッキング係数に従ってダウンクロックモードで動作し得る。
【００７６】
[0098]いくつかの態様では、ワイヤレスデバイス２０２は、ダウンクロックモードで動作するように永続的に構成される。たとえば、ワイヤレスデバイス２０２の構成要素は、有線接続され得るか、またはそのデバイスがダウンクロックされた動作を常に実行することを引き起こす、それらの構成要素にインストールされたファームウェアを有し得る。そのような態様では、ワイヤレスデバイス２０２は、２０ＭＨｚ、４０ＭＨｚ、および８０ＭＨｚのチャネル幅で通信することが不可能であり得る。さらに、ダウンクロッキングの係数は、そのような態様では固定であり得る。たとえば、上記構成要素は、固定ダウンクロッキング係数のみを実装するように製造および／または設置され得る。他の態様では、ワイヤレスデバイスは、２０ＭＨｚ、４０ＭＨｚ、および８０ＭＨｚのチャネル幅のいずれかで動作させられ得、または１ＭＨｚ、２ＭＨｚ、４ＭＨｚ、８ＭＨｚ、および１６ＭＨｚのチャネル幅で動作するようにプロセッサ２０４によって選択的にダウンクロックされ得る。
【００７７】
[0099]いくつかの実装形態では、サブギガヘルツ範囲（たとえば、９００ＭＨｚ）中で送信するとき、反復モードが使用され得、その場合、反復コーディングが実装される。反復モードは、それほど多くのプリアンブルオーバーヘッドを犠牲にすることなしに、長い距離にわたって正確な送信を可能にし得る。いくつかの実装形態では２×反復符号化が使用され得る。たとえば、反復符号化は、良好な住宅内カバレージを与えるために、わずか１０５ｄＢのパスロスを可能にし得る。ワイヤレスセンサーネットワークを使用するとき、反復コーディングがない場合、顧客は、より高い電力のセンサーを届きにくい場所に設置しなければならないことがある。２つのタイプのセンサー（「届きやすい場所」のためのセンサー対「届きにくい場所」のためのセンサー）を販売することは実用的でないことがある。さらに、高電力センサーは、ピーク電流ドレインにより低電力バッテリー（たとえば、ボタン電池）を用いて動作することが可能でないことがある。代替的に、反復がない場合、複数のＡＰが設置され得る。しかしながら、ＡＰのロケーションと構成とを選定することは、平均的な消費者にとって自明でないことがある。したがって、反復コーディングは、センサーネットワークなどの低データレート適用例のためのいくつかの実装形態に様々な利点を与え得る。
【００７８】
[00100]一例として、一態様では、ＢＰＳＫレート１／２コーディングが４×反復とともに使用され、９４Ｋｂｐｓが得られ得る。別の態様では、ＢＰＳＫレート１／２コーディングが２×反復とともに使用され、１８８Ｋｂｐｓが得られ得る。さらに別の態様では、ＢＰＳＫレート１／２コーディングが使用され、３７５Ｋｂｐｓが得られ得る。さらなる態様では、６４ＱＡＭレート３／４コーディングが使用され、３．７５Ｍｂｐｓが生じ得る。
【００７９】
[00101]いくつかの実装形態では、１ＭＨｚモードおよび２ＭＨｚモードは、相互運用可能であることを必要とされ、相互運用可能であるように構成され得る。２つの必要とされるモードを使用することは、デバイスが、一部の規制領域のために構成され得るが、他の規制領域のために動作しないことがある、問題を回避し得、規制制約が変化し、あまり限定的でない通信が可能になった場合、デバイスがより多くのオプションを有することを可能にし得る。セルラーオフロードのために、より高い帯域幅（たとえば、８ＭＨｚ）が使用され得る。
【００８０】
[00102]図７を参照すると、上記で説明したような帯域幅を用いてサブギガヘルツ帯域中でパケットを送信するとき、プリアンブル７０２は、異なるモードの間で検出するためにプリアンブルの初期状態でロバストなモード検出を有するように設計され得る。プリアンブル７０２は、さらに、オーバーヘッドを最小限に抑えることと、１ＭＨｚモードを使用して送信するデバイスと２ＭＨｚ以上のモードを使用して送信するデバイスとの適切な共存を可能にすることとを行うように最適化され得る。プリアンブル７０２は、１ＭＨｚ送信（３２ポイントＦＦＴ）と２ＭＨｚ送信（６４ポイントＦＦＴ）との間で検出するためにプリアンブルの初期状態でロバストなモード検出を有するように設計され得る。物理レイヤパケット７００は、一態様では、より大きい距離にわたるデータの送信を可能にするために、異なるデータレート用に送信のために生成され得る。たとえば、物理レイヤパケット７００は、上記で説明したように、別の「通常」データレートとともに低いデータレート用に生成され得る。
【００８１】
[00103]図８Ａは、いくつかの実装形態による、実質的に１ＭＨｚの帯域幅上での送信のための物理レイヤパケット８００ａのプリアンブル８０２ａとペイロード８１０ａとの例示的な構造を示すブロック図である。物理レイヤパケット８００ａは、上記で説明したように３２個のトーンを用いてＯＦＤＭシンボルを送信するための３２ポイントＦＦＴモードに従って構成される変換モジュール３０４（図３）を使用して生成され得る。
【００８２】
[00104]プリアンブル８０２ａはショートトレーニングフィールド（ＳＴＦ）８０４ａを含み得る。ＳＴＦ８０４ａは、特に選定された周期性をもつ非０トーンのサブセットに対応する非０値のサブセットをもつ既知の値のシーケンスを含み得る。非０トーンの周期性は、２ＭＨｚなどのより高い帯域幅中で使用されるＳＴＦシーケンスのために使用されるのと同じであり得る。いくつかの実装形態では、ＳＴＦフィールド８０４ａは、反復コーディングの場合は３ｄＢだけなど、増加され得る。ＳＴＦ８０４ａは４つのＯＦＤＭシンボルにわたって送られ得、その場合、各シンボルは既知のＳＴＦシーケンスを反復する。
【００８３】
[00105]プリアンブル８０２ａはロングトレーニングフィールド（ＬＴＦ）８０６ａをさらに含み得る。ＬＴＦ８０６ａは、４つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する既知の非０値から形成され得る。いくつかの実装形態では、ＬＴＦシーケンスは、したがって２６個の非０値を含み得る。
【００８４】
[00106]プリアンブル８０２ａはシグナリングフィールド（ＳＩＧ）８０８ａをさらに含み得る。いくつかの例示的な実装形態では、ＳＩＧフィールド８０８ａは反復コーディングされ得る。いくつかの実装形態では、ＳＩＧフィールド８０８ａは２×反復コーディングされ得る。物理レイヤパケット８００ａは、データのために割り振られた各ＯＦＤＭシンボル中で２４個のトーンを使用して生成され得るペイロード８１０ａをさらに含み得る。プリアンブル８０２ａは、低いレートまたは通常レートのいずれかの１ＭＨｚ送信を生成するために使用され得る。プリアンブル８０２ａはシングルユーザモードに従って使用され得る。
【００８５】
[00107]上記で説明したように、１ＭＨｚモードのためのＳＩＧフィールド８０８ａは２つのシンボルであり得る。一実装形態では、ＳＩＧフィールド８０８ａへのエントリは、以下の表１に示すエントリに対応し得る。したがって、ＳＩＧフィールド８０８ａは３６ビットを含み得る。ＳＩＧフィールド８０８ａはＢＰＳＫレート１／２反復２×でコーディングされ得る。
【表１】
0006262210.tif 000002
【００８６】
[00108]図８Ｂは、シングルユーザモードによる、実質的に２ＭＨｚの帯域幅上での送信のための物理レイヤパケット８００ｂのプリアンブル８０２ｂとペイロード８１０ｂとの例示的な構造を示すブロック図である。物理レイヤパケット８００ｂは、上記で説明したように６４個のトーンを用いてＯＦＤＭシンボルを送信するための６４ポイントＦＦＴモードに従って構成される変換モジュール３０４（図３）を使用して生成され得る。
【００８７】
[00109]プリアンブル８０２ｂはショートトレーニングフィールド（ＳＴＦ）８０４ｂを含み得る。ＳＴＦ８０４ｂは、判断された周期性をもつ６４個のトーン上での非０トーンのサブセットに対応する非０値のサブセットをもつ既知の値のシーケンスを含み得る。非０トーンの周期性は、１ＭＨｚ送信のために使用されるＳＴＦシーケンスのために使用されるのと同じであり得る。プリアンブル８０２ｂはロングトレーニングフィールド（ＬＴＦ）８０６ｂをさらに含み得る。ＬＴＦ８０６ｂは、２つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する非０値を備え得る。ＬＴＦシーケンスは、したがって、いくつかの実装形態では５６個の非０値を含み得る。プリアンブル８０２ｂはシグナリングフィールド（ＳＩＧ）８０８ｂをさらに含み得る。ＳＩＧフィールド８０８ｂは２つのＯＦＤＭシンボルから形成され得る。ＳＩＧフィールド８０８ｂの２つのＯＦＤＭシンボルは、それぞれＱＢＰＳＫ回転され得る。２つ以上の空間ストリームが使用されている場合、（たとえば、２つ以上ある場合、ＬＴＦ８０４ｂが第１の空間ストリームに対応し得るので）プリアンブル８０２ｂは、使用されている追加の空間ストリームの各々について追加のロングトレーニングフィールド（ＬＴＦ）８１６ｂを含み得る。物理レイヤパケット８００ｂは、データのために割り振られた各ＯＦＤＭシンボル中で５２個のトーンを使用して生成され得るペイロード８１０ｂをさらに含み得る。プリアンブル８０２ｂはシングルユーザモードに従って使用され得る。
【００８８】
[00110]図８Ｃは、マルチユーザモードによる、２ＭＨｚの帯域幅上での送信のための物理レイヤパケット８００ｃのプリアンブル８０２ｃとペイロード８１０ｃとの例示的な構造を示すブロック図である。図８Ｂを参照しながら上記で説明したように、物理レイヤパケット８００ｃは、６４個のトーンを用いてＯＦＤＭシンボルを送信するための６４ポイントＦＦＴモードに従って構成される変換モジュール３０４（図３）を使用して生成され得る。
【００８９】
[00111]プリアンブル８０２ｃはショートトレーニングフィールド（ＳＴＦ）８０４ｃを含み得る。ＳＴＦ８０４ｃは、判断された周期性をもつ６４個のトーン上での非０トーンのサブセットに対応する非０値のサブセットをもつ既知の値のシーケンスを含み得る。非０トーンの周期性は、１ＭＨｚ送信のために使用されるＳＴＦシーケンスのために使用されるのと同じであり得る。プリアンブル８０２ｃはロングトレーニングフィールド（ＬＴＦ）８０６ｃをさらに含み得る。ＬＴＦ８０６ｃは、２つのＯＦＤＭシンボルから形成され得、各シンボル中で送信されるＬＴＦシーケンスを含み得る。ＬＴＦシーケンスは、すべてのパイロットおよびデータのトーンについて、非０トーンに対応する非０値を備え得る。ＬＴＦシーケンスは、したがって、いくつかの実装形態によれば５６個の非０値を含み得る。プリアンブル８０２ｃはシグナリングフィールド（ＳＩＧ）８０８ｃをさらに含み得る。ＳＩＧフィールド８０８ｃは２つのＯＦＤＭシンボルから形成され得る。ＳＩＧフィールド８０８ｃの２つのＯＦＤＭシンボルのうちの第１のＯＦＤＭシンボルは、ＱＢＰＳＫ回転され得る。一態様では、これにより、受信機は、ＳＩＧフィールドシンボルのうちの１つのみがＱＢＰＳＫ回転されるかどうかに基づいて、パケット８００ｃがマルチユーザモードパケットであるのかシングルユーザモードパケットであるのかを検出することが可能になる。プリアンブル８０２ｃは超高スループットショートトレーニングフィールド（ＶＨＴ−ＳＴＦ：very high throughput short training field）８１４ｃをさらに含み得る。ＶＨＴ−ＳＴＦ８１４ｃは、ＩＥＥＥ８０２．１１ａｃ送信のために使用されるＶＨＴ−ＳＴＦに対応し得る。プリアンブル８０２ｃは、使用されている各空間ストリームに対応する１つまたは複数の超高スループットロングトレーニングフィールド（ＶＨＴ−ＬＴＦ：very high throughput long training field）８１６ｃをさらに含み得る。ＶＨＴ−ＬＴＦ８１６ｃは、ＩＥＥＥ８０２．１１ａｃ送信のために使用されるＶＨＴ−ＬＴＦに対応し得る。プリアンブル８０２ｃは超高スループット信号フィールド（ＶＨＴ−ＳＩＧ−Ｂ：very high throughput signal field）８１８ｃをさらに含み得る。ＶＨＴ−ＳＩＧ−Ｂ８１８ｃは、ＩＥＥ８０２．１１ａｃ送信のために使用されるＶＨＴ−ＳＩＧ−Ｂに対応し得る。物理レイヤパケット８００ｃは、データのために割り振られた各ＯＦＤＭシンボル中で５２個のトーンを使用して生成され得るペイロード８１０ｃをさらに含み得る。プリアンブル８０２ｃはマルチユーザモードに従って使用され得る。
【００９０】
[00112]３２ポイントモード（すなわち、１ＭＨｚ）と６４ポイントモード（２ＭＨｚ）とを区別することは、３２トーンモードおよび６４トーンモード上で周波数において直交するＬＴＦシーケンスを使用することによって、または第１のＳＩＧシンボルに対するＱＢＰＳＫ回転を検出することによって、行われ得る。
【００９１】
[00113]上記で説明したように、ワイヤレスデバイス２０２は、４ＭＨｚ、８ＭＨｚ、１６ＭＨｚ、および３２ＭＨｚの場合など、２ＭＨｚよりも大きい帯域幅上での送信のためのＯＦＤＭシンボルを生成するように構成され得る。いくつかの実装形態では、２ＭＨｚよりも大きい帯域幅上でＯＦＤＭシンボルを送るとき、ＳＩＧフィールド８０８ｂ（図８Ｂ）は、ＯＦＤＭシンボルのあらゆる２ＭＨｚセグメントにおいて複製され得、そのシンボルの帯域幅を判断することが可能であるように使用され得る。ＳＩＧフィールドのためのＯＦＤＭシンボルは、データのために割り振られた５２個のトーンを使用し得るので、ＳＩＧフィールドの複製により、より高い帯域幅（４ＭＨｚ、８ＭＨｚ、１６ＭＨｚ）について７つのガードトーン（シンボルの端部の３つのトーンおよび４つのトーン）が残り得る。
【００９２】
[00114]場合によっては、ＬＴＦ８０６ｂおよび／またはＳＩＧ８０８ｂのフィールド（図８Ｂ）のために追加のガードトーンを使用することが望ましいことがある。たとえば、４ＭＨｚ、８ＭＨｚ、および１６ＭＨｚのプリアンブルシンボルは、８０２．１１ａｃ送信の４０ＭＨｚ、８０ＭＨｚ、および１６０ＭＨｚのために使用される対応するシンボルに対応することが望ましいことがある。一例として、ＬＴＦ８０６ｂは、ＯＦＤＭシンボルがそれぞれ４ＭＨｚ、８ＭＨｚ、および１６ＭＨｚのためのものであるかどうかに応じて、４０ＭＨｚ、８０ＭＨｚ、および１６０ＭＨｚの８０２．１１ａｃ送信のためのＶＨＴ−ＬＴＦを使用し得る。４０ＭＨｚ、８０ＭＨｚ、および１６０ＭＨｚのためのＶＨＴ−ＬＴＦは、１１個のガードトーン（５／６）を有するので、これらのＶＨＴ−ＬＴＦを使用することは、たとえばＳＩＧ８０８ｂフィールドがデータのために５２個のトーンを割り振った場合、各エッジにおける２つのトーンについてチャネル推定のために非０値を与えないことがある。さらに、ＬＴＦ８０６ｂおよびＳＩＧ８０８ｂが、５２個のデータトーンを使用して（すなわち、より少ないガードトーンを有して）送信される場合、より大きい帯域幅（４ＭＨｚ、８ＭＨｚ、および１６ＭＨｚ）を使用して送信されているシンボルについて、より厳しいフィルタ処理要件があり得る。２ＭＨｚ送信のために使用されるＬＴＦ８０２ｂを複製することは、そのＬＴＦが５２個の非０トーンを使用し、したがって同じガードトーン問題が残るので、これらの問題に適切に対処することができないことがある。したがって、２、４、および８ＭＨｚの送信のために、最適化されたＬＴＦ８０６ｂおよびＳＩＧ８０８ｂが与えられ得る。一態様では、それらのフィールドは、ＩＥＥＥ８０２．１１ａｃパケットのために使用される２０、４０、および８０ＭＨｚのＬＴＦシーケンスを再利用することが可能であるように選定される。
【００９３】
[00115]したがって、一実装形態では、図８Ｂおよび図８Ｃに示す２ＭＨｚパケットについて、ＳＩＧフィールド８０８ｂおよび８０８ｃは、パケット８００ｂおよび８００ｃのフィールドの残部とは異なるトーン割振りを使用して送信され得る。たとえば、ＳＩＧフィールド８０８ｂおよび８０８ｃは、５２個のデータトーンではなく４８個のデータトーンを使用して送信され得る。これは、８０２．１１ａトーン割振りのＬ−ＳＩＧのために使用されるトーン割振りに対応し得る。このＳＩＧフィールド８０８ｂおよび８０８ｃは、次いで、２ＭＨｚ上での送信のために各２ＭＨｚセグメントについて複製され得る。別の実装形態では、ＳＴＦ８０４ｂおよび８０４ｃ、ＬＴＦ８０６ｂおよび８０６ｃ、ならびにＳＩＧフィールド８０８ｂおよび８０８ｃは、パケットのフィールドの残部とは異なるトーン割振りを使用して送信のために生成され得る。たとえば、ＳＴＦ８０４ｂおよび８０４ｃ、ＬＴＦ８０６ｂおよび８０６ｃ、ならびにＳＩＧフィールド８０８ｂおよび８０８ｃは、データのために割り振られた４８個のトーンを使用して送信のために生成され得る。
【００９４】
[00116]上記で説明したように、２ＭＨｚモードのためのＳＩＧフィールド８０８ｂおよび８０８ｃは、２つのシンボルを使用し、最高５２ビットのデータを送信する。ＳＩＧフィールド８０８ｂおよび８０８ｃへのエントリは、以下の表２に示すエントリに対応し得る。影なしである最初の２６ビットは第１のシンボルに対応し得、影つきである最後の２６ビットは第２のシンボルに対応し得る。５２ビットのデータが下記の表に示されているが、ただし、上記で説明したように、いくつかの実装形態では、ＳＩＧフィールド８０８ｂおよび８０８ｃは４８個のデータトーンを使用して送られ得、したがってＳＩＧフィールドは４８ビットに対応し得ることを諒解されたい。対応する一実装形態では、以下の表２に示す予約済みビットの数は、４８ビットが送信または受信されるように、低減され得る。
【表２】
0006262210.tif 000003
【００９５】
[00117]一態様では、ＯＦＤＭワイヤレス信号の送信のために使用される周波数帯域外の送信機の放出を低減することが望ましいことがある。たとえば、１ＭＨｚの帯域幅上でワイヤレス信号を介してＯＦＤＭシンボルを送信するとき、信号を送信するために使用される１ＭＨｚ帯のエッジの外側または近くに放出（たとえば、電磁放射）があることがある。これらのエリアは外側帯域と呼ばれることがあり、そのような放出は外側帯域放出と呼ばれることがある。これらの放出は、アンテナ２１６（図２）にワイヤレス信号を与えるために使用される電力増幅器３０８（図３）の高調波および不完全性または他の原因の結果であり得る。外側帯域と重複し得る異なる周波数において送信する他の信号との干渉を防ぐためおよび様々な他の理由のために、外側帯域中の放出を低減することが望ましいことがある。一態様では、キャリアの中心周波数からの異なる周波数オフセットにおいて許容される放出のレベルを指定する調整があり得る。したがって、他の信号との干渉を防ぎ、様々な規制要件を満たすように外側帯域中の放出に対する制限を与えることが望ましいことがある。
【００９６】
[00118]一態様では、放出のレベルは、ワイヤレス信号の電力が周波数とともにどのくらい分散されるかのレベルを記述し得るワイヤレス信号の電力スペクトル密度（ＰＳＤ）によって特徴づけられまたは測定され得る。言い換えれば、電力スペクトル密度は、様々な周波数にわたって分散された総平均電力を記述し得る。送信機２１０は、キャリアの中心周波数からの異なる周波数オフセットにおける送信信号の電力スペクトル密度（ＰＳＤ）によって示される放出のレベルを制限するように構成され得る。一態様では、ワイヤレス信号を送ることが望ましい電力スペクトル密度レベルが、０ｄＢｒ（すなわち、信号の最大スペクトル密度に対して０ｄＢ）帯域幅として記述され得る。たとえば、１ＭＨｚ  ＯＦＤＭ送信の場合、送信機２１０は、中心周波数を中心とした０．９ＭＨｚに対する（たとえば、中心周波数から±０．４５の）電力スペクトル密度が実質的に０ｄＢｒであるように、シンボルを送信するように構成され得る。この０．９ＭＨｚ範囲外で、送信機２１０は、中心周波数からの異なる周波数オフセットにおける放出を制限または低減するようにシンボルを送信するように構成され得る。
【００９７】
[00119]一実施形態では、送信機２１０は、以下の表３に示されるように電力スペクトル密度が周波数オフセットにおいてある量だけ低減されるように、１ＭＨｚシンボルを送信するように構成され得る。例としてのため、上述のように、送信機は、使用されるキャリアの中心周波数から±０．４５ＭＨｚの電力スペクトル密度が実質的に０ｄＢｒであるように、１ＭＨｚシンボルを送信するように構成され得る。送信機２１０は、電力スペクトル密度が中心周波数から±０．４５ＭＨｚよりも大きい周波数において０ｄＢｒよりも低くなるように、１ＭＨｚシンボルを送信するように構成され得る。
【００９８】
[00120]さらに、いくつかの実施形態では以下の表３に示されるように、中心周波数から±０．５５ＭＨｚよりも遠い周波数において、送信機２１０は、電力スペクトル密度が−２０ｄＢｒよりも低くなるように、シンボルを送信するようにさらに構成され得る。いくつかの実施形態では、以下でさらに図示および説明するように、送信機２１０は、中心周波数から±０．４５ＭＨｚと±０．５５ＭＨｚとの間の最大電力スペクトル密度が２つのオフセット±０．４５ＭＨｚと±０．５５ＭＨｚとの間の差および電力スペクトル密度の低下量−２０ｄＢｒによって少なくとも部分的に定義される関数によって定義されるように、シンボルを送信するように構成され得る。
【００９９】
[00121]いくつかの実施形態では、中心周波数から±１ＭＨｚよりも遠い周波数において、送信機２１０は、電力スペクトル密度が−２８ｄＢｒよりも低くなるように、シンボルを送信するように構成され得る。いくつかの実施形態では、送信機２１０は、±０．５５ＭＨｚと１ＭＨｚとの間の最大電力スペクトル密度がそれぞれ２つのオフセット±０．５５ＭＨｚと±１ＭＨｚとの間の差および電力スペクトル密度の低下量−８ｄＢｒの関数であるように、シンボルを送信するように構成され得る。
【０１００】
[00122]いくつかの実施形態では、中心周波数から±１.５ＭＨｚよりも遠い周波数において、送信機２１０は、電力スペクトル密度が−４０ｄＢｒよりも低くなるように、シンボルを送信するように構成され得る。いくつかの実施形態では、送信機２１０は、±１ＭＨｚと±１．５ＭＨｚとの間の最大電力スペクトル密度がそれぞれ２つのオフセット±１ＭＨｚと±１．５ＭＨｚとの間の差および電力スペクトル密度の低下量−１２ｄＢｒの関数であるように、シンボルを送信するように構成され得る。
【表３】
0006262210.tif 000004
【０１０１】
[00123]送信機２１０は、シンボルの電力スペクトル密度が、１ＭＨｚのためのしきい値を参照しながら上記で説明したのと同様に表３に上記で示したしきい値に従っているように、２ＭＨｚ、４ＭＨｚ、８ＭＨｚ、および１６ＭＨｚシンボルを送信するようにさらに構成され得る。さらに、参照１ＭＨｚシンボルとともに同じく上記で説明したように、送信機２１０は、表３に示した周波数オフセット間の最大電力スペクトル密度が周波数オフセット間の差と表３において定義されている電力スペクトル密度の低下量との関数であるように、送信するように構成され得る。図９は、１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界のプロットである。図９のプロットは表３中の値に対応し得る。
【０１０２】
[00124]図１０Ａ、図１０Ｂ、図１０Ｃ、図１０Ｄ、および図１０Ｅは、一実施形態による、１ＭＨｚ、２ＭＨｚ、４ＭＨｚ、８ＭＨｚ、および１６ＭＨｚ  ＯＦＤＭ送信のための例示的なスペクトルマスクの図である。図１０Ａ、図１０Ｂ、図１０Ｃ、図１０Ｄ、および図１０Ｅのマスク中に示すしきい値のポイントは、上記の表３において定義されているしきい値に対応し得る。より詳細には、たとえば、図１０Ａに示すマスクは、上記で説明し、表３に示した中心周波数からの様々な周波数オフセットにおいて、送信機が１ＭＨｚシンボルを送信するように構成される最大電力スペクトル密度値を定義し得る。さらに、図１０Ａ中のマスクは、いくつかの実施形態では、周波数オフセット間の最大電力スペクトル密度がしきい値間の線に直線的に沿ったポイントとして定義され得ることをさらに示す。たとえば、０．４５ＭＨｚと０．５５ＭＨｚとの間では、送信機２１０は、最大電力スペクトル密度が０．４５ＭＨｚと０．５５ＭＨｚとの間の線上に示された電力スペクトル密度レベルに沿って降下するように、送信するように構成され得る。したがって、送信機２１０は、電力スペクトル密度が、図１０Ａ中のしきい値によって画定された線を下回るように、送信するように構成され得る。同様に、送信機２１０は、電力スペクトル密度が、図１０Ｂ、図１０Ｃ、図１０Ｄ、および図１０Ｅにそれぞれ示した電力スペクトル密度限界を下回るように、２ＭＨｚ、４ＭＨｚ、８ＭＨｚ、および１６ＭＨｚシンボルを送信するように構成され得る。
【０１０３】
[00125]低電力送信機デバイスは−４０ｄＢｒを満たすように要求されることはなく、一般値が許容され得る。０ｄＢｍ送信に対して−４０ｄＢｒレベルを仮定すると、１ＭＨｚチャネルの場合、送信スペクトルは−４０ｄＢｒの最大値と１．５ＭＨｚ周波数オフセット以上における−４０ｄＢｍ／ＭＨｚとを有し得、２ＭＨｚチャネルの場合、送信スペクトルは−４０ｄＢｒの最大値と３ＭＨｚ周波数オフセット以上における−４３ｄＢｍ／ＭＨｚとを有し得、４ＭＨｚチャネルの場合、送信スペクトルは−４０ｄＢｒの最大値と６ＭＨｚ周波数オフセット以上における−４６ｄＢｍ／ＭＨｚとを有し得、８ＭＨｚチャネルの場合、送信スペクトルは−４０ｄＢｒの最大値と１２ＭＨｚ周波数オフセット以上における−４９ｄＢｍ／ＭＨｚとを有し得、１６ＭＨｚチャネルの場合、送信スペクトルは−４０ｄＢｒの最大値と２４ＭＨｚ周波数オフセット以上における−４９ｄＢｍ／ＭＨｚとを有し得る。
【０１０４】
[00126]別の実施形態では、送信機２１０は、電力スペクトル密度限界が１ＭＨｚシンボルと２ＭＨｚシンボルの両方について同じになるように送信するように構成され得る。この実施形態では、送信機２１０は、電力スペクトル密度が、以下の表４に示すように、および上記で説明したのと同様にしきい値に従っているように、１ＭＨｚ、２ＭＨｚ、４ＭＨｚ、８ＭＨｚ、および１６ＭＨｚを送信するように構成され得る。さらに、同じく上記で説明したように、いくつかの実施形態では、送信機２１０は、表４に示された周波数オフセット間の最大電力スペクトル密度が、周波数オフセット間の差と表４において定義された電力スペクトル密度の低下量との関数であるように、送信するように構成され得る。
【表４】
0006262210.tif 000005
【０１０５】
[00127]図１１は、１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットである。プロットは、表４に示されたしきい値に対応し得る。
【０１０６】
[00128]低電力送信機デバイスは−４０ｄＢｒを満たすように要求されることはなく、一般値が許容され得る。０ｄＢｍ送信に対して−４ｄＢｒレベルを仮定すると、１ＭＨｚチャネルの場合、送信スペクトルは−４０ｄＢｒの最大値と２．５ＭＨｚ周波数オフセット以上における−４０ｄＢｍ／ＭＨｚとを有すべきであり、２ＭＨｚチャネルの場合、送信スペクトルは−４０ｄＢｒの最大値と３ＭＨｚ周波数オフセット以上における−４３ｄＢｍ／ＭＨｚとを有すべきであり、４ＭＨｚチャネルの場合、送信スペクトルは−４０ｄＢｒの最大値と６ＭＨｚ周波数オフセット以上における−４６ｄＢｍ／ＭＨｚとを有すべきであり、８ＭＨｚチャネルの場合、送信スペクトルは−４０ｄＢｒの最大値と１２ＭＨｚ周波数オフセット以上における−４９ｄＢｍ／ＭＨｚとを有すべきであり、１６ＭＨｚチャネルの場合、送信スペクトルは−４０ｄＢｒの最大値と２４ＭＨｚ周波数オフセット以上における−４９ｄＢｍ／ＭＨｚとを有すべきである。
【０１０７】
[00129]図１２Ａ、図１２Ｂ、図１２Ｃ、および図１２Ｄは、別の実施形態による、１ＭＨｚおよび２ＭＨｚ、４ＭＨｚ、８ＭＨｚ、ならびに１６ＭＨｚ  ＯＦＤＭ送信のための例示的なスペクトルマスクの図である。図１２Ａ、図１２Ｂ、図１２Ｃ、および図１２Ｄのマスク中に示すしきい値のポイントは、上記の表４において定義されたしきい値に対応し得る。より詳細には、たとえば、図１２Ａに示されたマスクは、送信機が、上記で説明し、表４に示した中心周波数からの様々な周波数オフセットにおいて、１ＭＨｚおよび２ＭＨｚシンボルを送信するように構成される最大電力スペクトル密度値を定義し得る。さらに、図１２Ａ中のマスクは、いくつかの実施形態では、周波数オフセット間の最大電力スペクトル密度がしきい値間の線に直線的に沿ったポイントとして定義され得ることをさらに示す。たとえば、０．９ＭＨｚと１．１ＭＨｚとの間では、送信機２１０は、最大電力スペクトル密度が０．９ＭＨｚと１．１ＭＨｚとの間の線上に示された電力スペクトル密度レベルに沿って降下するように、送信するように構成され得る。したがって、送信機２１０は、電力スペクトル密度が、図１２Ａ中のしきい値によって画定された線を下回るように、送信するように構成され得る。同様に、送信機２１０は、電力スペクトル密度が、図１２Ｂ、図１２Ｃ、および図１０Ｄにそれぞれ示した電力スペクトル密度限界を下回るように、４ＭＨｚ、８ＭＨｚ、および１６ＭＨｚシンボルを送信するように構成され得る。この場合、このことは、改善されたおよび／または簡略化された送信回路を可能にし得る１ＭＨｚシンボルを送信するための要件を緩和し得る。
【０１０８】
[00130]別の実施形態では、電力スペクトル密度を低下させるための第１のしきい値の周波数オフセットを緩和することがさらに望ましいことがある。したがって、この実施形態では、送信機２１０は、電力スペクトル密度が以下の表５に示されたしきい値を満たすように、１ＭＨｚ、２ＭＨｚ、４ＭＨｚ、８ＭＨｚ、および１６ＭＨｚを送信するように構成され得る。この場合、上記の表３とは対照的に、周波数オフセットは、１ＭＨｚマスクを緩めるために第１の傾きで０．５５ＭＨｚから０．６ＭＨｚ移動され得る。この緩和された１ＭＨｚマスクは、上記の表３によるマスクと比較して、近隣１ＭＨｚチャネル中の干渉量を増加させ得る。これは、電力増幅器バックオフが１ＭＨｚ送信と２ＭＨｚ送信の両方のためにより良く使用されることを可能にすることを可能にし得る。
【表５】
0006262210.tif 000006
【０１０９】
[00131]図１３は、表５による、１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットである。
【０１１０】
[00132]図１４Ａ、図１４Ｂ、図１４Ｃ、図１４Ｄ、および図１４Ｅは、表５に示された別の実施形態による、１ＭＨｚ、２ＭＨｚ、４ＭＨｚ、８ＭＨｚ、および１６ＭＨｚ  ＯＦＤＭ送信のための例示的なスペクトルマスクの図である。図１４Ａ、図１４Ｂ、図１４Ｃ、図１４Ｄ、および図１４Ｅのマスク中に示すしきい値のポイントは、上記の表５において定義されたしきい値に対応し得る。より詳細には、たとえば、図１４Ａに示すマスクは、上記で説明し、表５に示した中心周波数からの様々な周波数オフセットにおいて、送信機が１ＭＨｚシンボルを送信するように構成される最大電力スペクトル密度値を定義し得る。さらに、図１４Ａ中のマスクは、いくつかの実施形態では、周波数オフセット間の最大電力スペクトル密度がしきい値間の線に直線的に沿ったポイントとして定義され得ることをさらに示す。たとえば、０．４５ＭＨｚと０．６ＭＨｚとの間では、送信機２１０は、最大電力スペクトル密度が０．４５ＭＨｚと０．６ＭＨｚとの間の線上に示された電力スペクトル密度レベルに沿って降下するように、送信するように構成され得る。したがって、送信機２１０は、電力スペクトル密度が、図１４Ａ中のしきい値によって画定された線を下回るように、送信するように構成され得る。同様に、送信機２１０は、電力スペクトル密度が、図１４Ｂ、図１４Ｃ、図１４Ｄ、および図１４Ｅにそれぞれ示した電力スペクトル密度限界を下回るように、２ＭＨｚ、４ＭＨｚ、８ＭＨｚ、および１６ＭＨｚシンボルを送信するように構成され得る。この場合、このことは、改善されたおよび／または簡略化された送信回路を可能にし得る１ＭＨｚシンボルを送信するための要件を緩和し得る。
【０１１１】
[00133]低電力送信機デバイスは−４０ｄＢｒを満たすように要求されることはなく、一般値が許容され得る。０ｄＢｍ送信に対して−４０ｄＢｒレベルを仮定すると、１ＭＨｚチャネルの場合、送信スペクトルは−４０ｄＢｒの最大値と１．５ＭＨｚ周波数オフセット以上における−４０ｄＢｍ／ＭＨｚとを有し得、２ＭＨｚチャネルの場合、送信スペクトルは−４０ｄＢｒの最大値と３ＭＨｚ周波数オフセット以上における−４３ｄＢｍ／ＭＨｚとを有し得、４ＭＨｚチャネルの場合、送信スペクトルは−４０ｄＢｒの最大値と６ＭＨｚ周波数オフセット以上における−４６ｄＢｍ／ＭＨｚとを有し得、８ＭＨｚチャネルの場合、送信スペクトルは−４０ｄＢｒの最大値と１２ＭＨｚ周波数オフセット以上における−４９ｄＢｍ／ＭＨｚとを有し得、１６ＭＨｚチャネルの場合、送信スペクトルは−４０ｄＢｒの最大値と２４ＭＨｚ周波数オフセット以上における−４９ｄＢｍ／ＭＨｚとを有し得る。
【０１１２】
[00134]別の実施形態では、送信機２１０は、表５を参照しながら上記で説明したものに加えて、１ＭＨｚについての要件を緩和するようにさらに構成され得る。この実施形態によれば、送信機２１０は、電力スペクトル密度が以下の表６に記載されたしきい値よりも低くなるように、１ＭＨｚ、２ＭＨｚ、４ＭＨｚ、８ＭＨｚ、および１６ＭＨｚを送信するように構成され得る。この場合、上記の表５とは対照的に、周波数オフセットは０．６ＭＨｚから０．５５ＭＨｚに移動され得、０．４５ＭＨｚ周波数オフセットは、１ＭＨｚマスク傾きを緩めるために第１の傾きで０．４ＭＨｚに移動され得る。これにより、すべてのマスク（１ＭＨｚ〜１６ＭＨｚ）が、０ｄＢｒから−２０ｄＢｒに低下するときに同じ第１の傾きを有することを可能にし得る。この緩和１ＭＨｚマスクは、上記の表３によるマスクと比較して、近隣１ＭＨｚチャネル中の干渉量を増加させ得るが、これは、電力増幅器バックオフが１ＭＨｚ送信と２ＭＨｚ送信の両方のためにより良く使用されることを可能にし得る。
【表６】
0006262210.tif 000007
【０１１３】
[00135]図１５は、表６による、１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットである。
【０１１４】
[00136]図１６Ａ、図１６Ｂ、図１６Ｃ、図１６Ｄ、および図１６Ｅは、表６による別の実施形態による、１ＭＨｚ、２ＭＨｚ、４ＭＨｚ、８ＭＨｚ、および１６ＭＨｚ  ＯＦＤＭ送信のための例示的なスペクトルマスクの図である。図１６Ａ、図１６Ｂ、図１６Ｃ、図１６Ｄ、および図１６Ｅのマスク中に示すしきい値のポイントは、上記の表６において定義されたしきい値に対応し得る。より詳細には、たとえば、図１６Ａに示すマスクは、上記で説明し、表６に示した中心周波数からの様々な周波数オフセットにおいて、送信機が１ＭＨｚシンボルを送信するように構成される最大電力スペクトル密度値を定義し得る。さらに、図１６Ａ中のマスクは、いくつかの実施形態では、周波数オフセット間の最大電力スペクトル密度がしきい値間の線に直線的に沿ったポイントとして定義され得ることをさらに示す。たとえば、０．４ＭＨｚと０．６ＭＨｚとの間では、送信機２１０は、最大電力スペクトル密度が０．４ＭＨｚと０．６ＭＨｚとの間の線上に示された電力スペクトル密度レベルに沿って降下するように、送信するように構成され得る。したがって、送信機２１０は、電力スペクトル密度が、図１６Ａ中のしきい値によって画定された線を下回るように、送信するように構成され得る。同様に、送信機２１０は、電力スペクトル密度が、図１６Ｂ、図１６Ｃ、図１６Ｄ、および図１６Ｅにそれぞれ示した電力スペクトル密度限界を下回るように、２ＭＨｚ、４ＭＨｚ、８ＭＨｚ、および１６ＭＨｚシンボルを送信するように構成され得る。この場合、このことは、改善されたおよび／または簡略化された送信回路を可能にし得る１ＭＨｚシンボルを送信するための要件を緩和し得る。
【０１１５】
[00137]低電力送信機デバイスは−４０ｄＢｒを満たすように要求されることはなく、一般値が許容され得る。０ｄＢｍ送信に対して−４０ｄＢｒレベルを仮定すると、１ＭＨｚチャネルの場合、送信スペクトルは−４０ｄＢｒの最大値と１．５ＭＨｚ周波数オフセット以上における−４０ｄＢｍ／ＭＨｚとを有し得、２ＭＨｚチャネルの場合、送信スペクトルは−４０ｄＢｒの最大値と３ＭＨｚ周波数オフセット以上における−４３ｄＢｍ／ＭＨｚとを有し得、４ＭＨｚチャネルの場合、送信スペクトルは−４０ｄＢｒの最大値と６ＭＨｚ周波数オフセット以上における−４６ｄＢｍ／ＭＨｚとを有し得、８ＭＨｚチャネルの場合、送信スペクトルは−４０ｄＢｒの最大値と１２ＭＨｚ周波数オフセット以上における−４９ｄＢｍ／ＭＨｚとを有し得、１６ＭＨｚチャネルの場合、送信スペクトルは−４０ｄＢｒの最大値と２４ＭＨｚ周波数オフセット以上における−４９ｄＢｍ／ＭＨｚとを有し得る。
【０１１６】
[00138]別の実施形態によれば、送信機２１０は、電力スペクトル密度が、以下の表７において定義されたしきい値に従うように、１ＭＨｚ、２ＭＨｚ、４ＭＨｚ、８ＭＨｚ、および１６ＭＨｚシンボルを送信するように構成され得る。上記のしきい値とは対照的に、−４５ｄＢｒは、最外周波数領域において必要とされ得る。丸括弧中に示すように、第１の傾きで、上記で説明したように１ＭＨｚマスクを緩めるために０．５５ＭＨｚ周波数オフセットは０．６ＭＨｚに移動され得、および／または０．４５ＭＨｚ周波数オフセットは０．４ＭＨｚに移動され得ることを諒解されたい。
【表７】
0006262210.tif 000008
【０１１７】
[00139]図１７は、表７による、１ＭＨｚ、２ＭＨｚ、４ＭＨｚ、８ＭＨｚ、および１６ＭＨｚ  ＯＦＤＭ送信のための周波数に応じた電力スペクトル密度の例示的な送信限界の別のプロットである。
【０１１８】
[00140]図１８Ａ、図１８Ｂ、図１８Ｃ、図１８Ｄ、および図１８Ｅは、表７による別の実施形態による、１ＭＨｚ、２ＭＨｚ、４ＭＨｚ、８ＭＨｚ、および１６ＭＨｚ  ＯＦＤＭ送信のための例示的なスペクトルマスクの図である。図１８Ａ、図１８Ｂ、図１８Ｃ、図１８Ｄ、および図１８Ｅのマスク中に示すしきい値のポイントは、上記の表７において定義されたしきい値に対応し得る。より詳細には、たとえば、図１８Ａに示すマスクは、上記で説明し、表７に示した中心周波数からの様々な周波数オフセットにおいて、送信機が１ＭＨｚシンボルを送信するように構成される最大電力スペクトル密度値を定義し得る。さらに、図１８中のマスクは、いくつかの実施形態では、周波数オフセット間の最大電力スペクトル密度がしきい値間の線に直線的に沿ったポイントとして定義され得ることをさらに示す。たとえば、１ＭＨｚと１．５ＭＨｚとの間では、送信機２１０は、最大電力スペクトル密度が１ＭＨｚと１．５ＭＨｚとの間の線上に示された電力スペクトル密度レベルに沿って降下するように、送信するように構成され得る。したがって、送信機２１０は、電力スペクトル密度が、図１８Ａ中のしきい値によって画定された線を下回るように、送信するように構成され得る。同様に、送信機２１０は、電力スペクトル密度が、図１８Ｂ、図１８Ｃ、図１８Ｄ、および図１８Ｅにそれぞれ示した電力スペクトル密度限界を下回るように、２ＭＨｚ、４ＭＨｚ、８ＭＨｚ、および１６ＭＨｚシンボルを送信するように構成され得る。
【０１１９】
[00141]低電力送信機デバイスは−４５ｄＢｒを満たすように要求されることはなく、一般値が許容され得る。５ｄＢｍ送信に対して−４５ｄＢｒレベルを仮定すると、１ＭＨｚチャネルの場合、送信スペクトルは−４５ｄＢｒの最大値と１．５ＭＨｚ周波数オフセット以上における−４０ｄＢｍ／ＭＨｚとを有すべきであり、２ＭＨｚチャネルの場合、送信スペクトルは−４５ｄＢｒの最大値と３ＭＨｚ周波数オフセット以上における−４３ｄＢｍ／ＭＨｚとを有すべきであり、４ＭＨｚチャネルの場合、送信スペクトルは−４５ｄＢｒの最大値と６ＭＨｚ周波数オフセット以上における−４６ｄＢｍ／ＭＨｚとを有すべきであり、８ＭＨｚチャネルの場合、送信スペクトルは−４５ｄＢｒの最大値と１２ＭＨｚ周波数オフセット以上における−４９ｄＢｍ／ＭＨｚとを有すべきであり、１６ＭＨｚチャネルの場合、送信スペクトルは−４５ｄＢｒの最大値と２４ＭＨｚ周波数オフセット以上における−４９ｄＢｍ／ＭＨｚとを有すべきである。
【０１２０】
[00142]外側帯域周波数における電力スペクトル密度に対する制限に加えて、追加の最大送信スペクトル平坦度偏差が送信機２１０によって考慮され得る。たとえば、ＢＰＳＫ変調されたサブキャリアの平均コンスタレーションエネルギー（average constellation energy）Ｅi,avgが定義され得る。代替変調技法を使用した変調されたサブキャリアの他の平均コンスタレーションエネルギーも企図される。以下の表８に示す帯域幅を用いた連続送信では、サブキャリアの平均コンスタレーションエネルギーＥi,avgが、以下の表８に平均化サブキャリアインデックス（averaging subcarrier indices）としてリストされたサブキャリアインデックスにわたるＥi,avgの平均から表８に示された最大値を超えてはずれないように、ＯＦＤＭシンボル中のサブキャリアの各々が送信機２１０によって送信され得る。たとえば、送信機２１０は、インデックス−８〜−１および＋１〜＋８をもつサブキャリア（すなわち、トーン）の最大偏差が、インデックス−８〜−１および＋１〜＋８をもつサブキャリアにわたるＥi,avgの平均から実質的に±４ｄＢであり、インデックス−１３〜−９および＋９〜＋１３をもつサブキャリアの最大偏差が、サブキャリアインデックス−８〜−１および１〜８にわたるＥi,avgの平均から実質的に＋４／−６ｄＢであるように、１ＭＨｚシンボルを送信するように構成され得る。同様に、２ＭＨｚ、４ＭＨｚ、８ＭＨｚ、および１６ＭＨｚのトーンインデックスと対応する最大偏差とは、以下の表８に示されたものに対応し得る。
【表８】
0006262210.tif 000009
【０１２１】
[00143]したがって、送信機２１０は、サブキャリアの電力変動における偏差を実質的に表８に記載されている最大偏差以下に維持するように電力レベルおよび他の伝送特性を調整するように構成される。
【０１２２】
[00144]別の実施形態によれば、送信機２１０は、複製（ＤＵＰ：duplicate）モードに従って動作するように構成される。たとえば、２ＭＨｚ  ＤＵＰモードが定義され得る。このモードで動作するとき、送信機２１０は、信号の帯域幅全体にわたって２ＭＨｚ送信を複製するように構成される。たとえば、送信機２１０は、２つの複製された２ＭＨｚ送信を備える４ＭＨｚ帯域幅を用いて信号を送信するように構成され得る。同様に、このモードに従って、８ＭＨｚ送信は４つの複製された２ＭＨｚ送信を備える。同様に、このモードに従って、１６ＭＨｚ送信は８つの複製された２ＭＨｚ送信を備える。したがって、送信機２１０は、サブキャリアの電力変動における偏差を実質的に２ＭＨｚ  ＤＵＰモードに従って動作するときの最大偏差以下に維持するように電力レベルおよび他の伝送特性を調整するようにさらに構成される。
【０１２３】
[00145]たとえば、変調されたサブキャリアの平均コンスタレーションエネルギーＥi,avgが定義され得る。以下の表９に示す帯域幅を用いた連続送信では、ＯＦＤＭシンボル中のサブキャリアの各々が送信機２１０によって送信され得るので、送信機は、サブキャリアの平均コンスタレーションエネルギーＥi,avgが、以下の表９に平均化サブキャリアインデックスとしてリストされたサブキャリアインデックスにわたるＥi,avgの平均から表９に示された最大値を超えてはずれることを防ぐように構成される。たとえば、送信機２１０は、４ＭＨｚシンボルを送信するように構成され得、インデックス−４２〜−３３、−３１〜−６、＋６〜＋３１、および＋３３〜＋４２をもつサブキャリア（すなわち、トーン）の最大偏差を、インデックス−４２〜−３３、−３１〜−６、＋６〜＋３１、および＋３３〜＋４２をもつサブキャリアにわたるＥi,avgの平均から実質的に±４ｄＢに維持するように構成され得、送信機２１０は、インデックス−５８〜−４３および＋４３〜＋５８をもつサブキャリアの最大偏差を、サブキャリアインデックス−４２〜−３３、−３１〜−６、＋６〜＋３１、および＋３３〜＋４２にわたるＥi,avgの平均から実質的に＋４／−６ｄＢに維持するように構成される。同様に、８ＭＨｚおよび１６ＭＨｚのトーンインデックスと対応する最大偏差とは、以下に表９中で示すものに対応し得るので、送信機２１０は指定された最大偏差を維持するように構成される。
【表９】
0006262210.tif 000010
【０１２４】
[00146]一態様では、２ＭＨｚ  ＤＵＰモードの場合の４ＭＨｚ送信のための最大偏差を適用するためのトーンインデックスと、表８を参照しながら説明した４ＭＨｚ送信のための最大偏差を適用するためのトーンインデックスとの間の差は、複製がトーン割振りにどのように影響を及ぼすかによって説明され得る。たとえば、２ＭＨｚがいくつかのガードトーンを有し得るとすれば、複製された２ＭＨｚ送信を備える送信は、データトーン／パイロットトーン間に余分のガードトーンとＤＣトーンとを生じ得る。したがって、最大偏差を適用するためのトーンインデックスは異なることがある。
【０１２５】
[00147]別の実施形態によれば、送信機２１０は、１ＭＨｚ  ＤＵＰモードに従って動作するように構成される。このモードで動作するとき、送信機２１０は、送信されている信号の帯域幅全体の１ＭＨｚ部分ごとに１ＭＨｚ送信を複製するように構成される。たとえば、送信機２１０は、２つの複製された１ＭＨｚ送信を備える２ＭＨｚ信号を送信するように構成され得る。同様に、送信機２１０は、４つの複製された１ＭＨｚ送信を備える４ＭＨｚ信号を送信するように構成され得、８ＭＨｚおよび１６ＭＨｚについても同様である。したがって、送信機２１０は、サブキャリアの電力変動における偏差を実質的に１ＭＨｚ  ＤＵＰモードに従って動作するときの最大偏差未満に維持するように電力レベルおよび他の伝送特性を調整するようにさらに構成される。たとえば、変調されたサブキャリアの平均コンスタレーションエネルギーＥi,avgが定義され得る。以下の表１０に示す帯域幅を用いた連続送信では、ＯＦＤＭシンボル中のサブキャリアの各々が送信機２１０によって送信され得るので、送信機は、サブキャリアの平均コンスタレーションエネルギーＥi,avgが、以下の表１０に平均化サブキャリアインデックスとしてリストされたサブキャリアインデックスにわたるＥi,avgの平均から表１０に示された最大値を超えてはずれることを防ぐように構成される。たとえば、送信機２１０は、２ＭＨｚシンボルを送信するように構成され得、インデックス−１５〜−３および＋３〜＋１５をもつサブキャリア（すなわち、トーン）の最大偏差を、インデックス−１５〜−３および＋３〜＋１５をもつサブキャリアにわたるＥi,avgの平均から実質的に±４ｄＢに維持するように構成され得、送信機２１０は、インデックス−２９〜−１７および＋１７〜＋２９をもつサブキャリアの最大偏差を、サブキャリアインデックス−１５〜−３および＋３〜＋１５にわたるＥi,avgの平均から実質的に＋４／−６ｄＢに維持するように構成される。同様に、４ＭＨｚ、８ＭＨｚ、および１６ＭＨｚのトーンインデックスと対応する最大偏差とは、表１０中に以下に示されるそれらに対応し得るので、送信機２１０は指定された最大偏差を維持するように構成される。
【表１０】
0006262210.tif 000011
【０１２６】
[00148]２ＭＨｚ  ＤＵＰモードを参照しながら説明したことに関して同様に、一態様では、１ＭＨｚ  ＤＵＰモードの場合の２ＭＨｚ送信の最大偏差を適用するためのトーンインデックスと、図８を参照しながら説明した２ＭＨｚ送信の最大偏差を適用するためのトーンインデックスとの間の差は、複製がトーン割振りにどのように影響を及ぼすかによって説明され得る。たとえば、１ＭＨｚがいくつかのガードトーンとＤＣトーンとを有し得るとすれば、複製された１ＭＨｚ送信を備える送信は、他のデータトーン／パイロットトーン間に余分のガードトーンとＤＣトーンとデータトーンとを生じ得る。したがって、最大偏差を適用するためのトーンインデックスは異なることがある。
【０１２７】
[00149]表８、表９、および表１０を参照して説明した実施形態によれば、プロセッサおよび／または送信機は、「平均化サブキャリア」の全電力平均を判断するように構成され得る。その後、送信機２１０および／またはプロセッサは、各個のサブキャリアの平均電力を最大偏差以下に維持するように電力レベルおよび他の伝送特性を調整するように構成される。
【０１２８】
[00150]その上、いくつかの実施形態では、解像度のための帯域幅とビデオ帯域幅とが定義され得る。一態様では、解像度帯域幅とビデオ帯域幅とは、それぞれ１０ｋＨｚと３ｋＨｚとであり得る。
【０１２９】
[00151]図１９は、パケットを生成し、ワイヤレス信号を介して送信するための例示的な方法１９００のフローチャートである。パケットは、ＡＰ１０４またはＳＴＡ１０６のいずれかにおいて生成され、ワイヤレスネットワーク１００中の別のノードに送信され得る。方法１９００についてワイヤレスデバイス２０２の要素に関して以下で説明するが、本明細書で説明するステップのうちの１つまたは複数を実装するために他の構成要素が使用され得ることを当業者は諒解されよう。
【０１３０】
[00152]ブロック１９０２において、少なくとも１つの直交周波数分割多重（ＯＦＤＭ）シンボルを使用した１ＭＨｚの帯域幅上でのワイヤレス信号を介した送信のために、パケットを生成する。生成は、プロセッサ２０４および／またはＤＳＰ２２０によって、たとえば変調器３０２および変換モジュール３０４を使用して、実行され得る。次に、ブロック１９０４において、ワイヤレス信号を介してパケットを送信する。送信機２１０はパケットを送信するように構成され得る。パケットは電力スペクトル密度を有し、送信機２１０は、ワイヤレス信号の中心周波数の±０．４５ＭＨｚ内の電力スペクトル密度が第１の電力スペクトル密度レベルにあるように、ワイヤレス信号を送信するように構成され得る。ワイヤレス信号の中心周波数から±０．４５ＭＨｚと±０．５５ＭＨｚとの間の電力スペクトル密度は第１の電力スペクトル密度レベル未満である。ワイヤレス信号の中心周波数から±０．５５ＭＨｚと±１ＭＨｚとの間の電力スペクトル密度は第１の電力スペクトル密度レベルに対して−２０ｄＢｒ未満である。ワイヤレス信号の中心周波数から±１ＭＨｚと±１．５ＭＨｚとの間の電力スペクトル密度は第１の電力スペクトル密度レベルに対して、−２８ｄＢｒ未満である。ワイヤレス信号の中心周波数から±１．５ＭＨｚよりも大きい電力スペクトル密度は第１の電力スペクトル密度レベルに対して−４０ｄＢｒ未満である。さらに、送信機２１０の動作は、いくつかの態様では、プロセッサ２０４によって少なくとも部分的に制御され得る。
【０１３１】
[00153]図２０は、ワイヤレス通信システム１００内で採用され得る別の例示的なワイヤレスデバイス２０００の機能ブロック図である。ワイヤレス通信デバイス２０００が、図２〜図６に示されたワイヤレス通信デバイスよりも多くの構成要素を有し得ることを、当業者ならば諒解されよう。図示されたワイヤレス通信デバイス２０００は、いくつかの実装形態のいくつかの顕著な特徴について説明するために有用なそれらの構成要素のみを含む。デバイス２０００は、ワイヤレス送信のためにデータを符号化するための生成モジュール２００２を含む。いくつかの場合には、生成するための手段は生成モジュール２００２を含み得る。生成モジュール２００２は、図１９のブロック１９０２に関して上記で説明した機能のうちの１つまたは複数を実行するように構成され得る。デバイス２０００は、生成モジュール２００２からの出力をワイヤレス送信するための送信モジュール２００４をさらに備える。送信モジュール２００４は、図１９に示されたブロック１９０４に関して上記で説明した機能のうちの１つまたは複数を実行するように構成され得る。送信モジュール２００４は送信機２１０に対応し得る。いくつかの場合には、送信するための手段は送信モジュール２００４を含み得る。送信モジュール２００４は、限定はしないが、コンスタレーションマッパー、変調器、ＩＤＦＴ（図３に関して上記で説明した逆離散時間フーリエ変換モジュールまたはＩＦＦＴ３０４）、デジタルアナログ変換器、増幅器、アンテナおよび他の構成要素を含む、様々な構成要素を含み得る。
【０１３２】
[00154]図２１は、ワイヤレス通信システム１００内で採用され得るまた別の例示的なワイヤレスデバイス２１００の機能ブロック図である。ワイヤレス通信デバイス２１００が、図２〜図６に示されたワイヤレス通信デバイスよりも多くの構成要素を有し得ることを、当業者ならば諒解されよう。デバイス２１００は、データをワイヤレス受信するための受信モジュール２１０２備える。受信モジュール２１０２は、図１９のブロック１９０４中に示されたように送信されたパケットを受信するように構成され得る。受信モジュール２１０２は、受信機２１２に対応し得、増幅器４０１を含み得る。いくつかの場合には、受信するための手段は受信モジュール２１０２を含み得る。デバイス２０００は、ワイヤレス信号を評価するための復号モジュール２１０４をさらに備える。復号モジュール２１０４は、図１９に示されたブロック１９０４に関して説明したように送信されたパケットを実行復号するように構成され得る。いくつかの場合には、評価するための手段は復号モジュール２１０４を含み得る。
【０１３３】
[00155]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。さらに、本明細書で使用する「チャネル幅」は、いくつかの態様では帯域幅を包含することがあるか、または帯域幅と呼ばれることもある。
【０１３４】
[00156]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【０１３５】
[00157]上記で説明した方法の様々な動作は、様々なハードウェアおよび／またはソフトウェア構成要素（複数可）、回路、および／またはモジュール（複数可）など、それらの動作を実行することが可能な任意の好適な手段によって実行され得る。一般に、図に示すどの動作も、その動作を実行することが可能な対応する機能的手段によって実行され得る。
【０１３６】
[00158]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３７】
[00159]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【０１３８】
[00160]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１３９】
[00161]説明した機能は、ハードウェア、ソフトウェア、ファームウェア、またはそれらの組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１４０】
[00162]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１４１】
[00163]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１４２】
[00164]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１４３】
[00165]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【０１４４】
[00166]上記は本開示の態様を対象とするが、本開示の他の態様およびさらなる態様は、それの基本的範囲から逸脱することなく考案され得、それの範囲は以下の特許請求の範囲によって判断される。
以下に、本願出願の当初の特許請求の範囲に記載された発明を付記する。
［Ｃ１］
ワイヤレス通信のための装置であって、
ワイヤレス信号を介した送信のためのパケットを生成するように構成されるプロセッサと、ここにおいて、前記パケットは、少なくとも１つの直交周波数分割多重（ＯＦＤＭ）シンボルを使用した１ＭＨｚの帯域幅上での送信のために生成される、
電力スペクトル密度を有する前記ワイヤレス信号を介して前記パケットを送信するように構成される送信機と
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
装置。
［Ｃ２］
前記プロセッサは、第２のワイヤレス信号を介した送信のための第２のパケットを生成するようにさらに構成され、前記第２のパケットは、少なくとも１つのＯＦＤＭシンボルを使用した２ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±０．９ＭＨｚ内の前記第２の電力スペクトル密度は、第２の電力スペクトル密度レベルにあり、
前記第２のワイヤレス信号の前記第２の中心周波数から０．９ＭＨｚと１．１ＭＨｚとの間および前記第２のワイヤレス信号の前記第２の中心周波数から−０．９ＭＨｚと−１．１ＭＨｚとの間の前記第２の電力スペクトル密度は、前記第２の電力スペクトル密度レベル未満であり、
前記第２のワイヤレス信号の前記第２の中心周波数から１．１ＭＨｚと２ＭＨｚとの間および前記第２のワイヤレス信号の前記第２の中心周波数から−１．１ＭＨｚと−２ＭＨｚとの間の前記第２の電力スペクトル密度は、前記第２の電力スペクトル密度レベルに対して−２０ｄＢｒ未満であり、
前記第２のワイヤレス信号の前記第２の中心周波数から２ＭＨｚと３ＭＨｚとの間および前記第２のワイヤレス信号の前記第２の中心周波数から−２ＭＨｚと−３ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±３ＭＨｚよりも大きい前記第２の電力スペクトル密度は、前記第２の電力スペクトル密度レベルに対して−４０ｄＢｒ未満である、
［Ｃ１］に記載の装置。
［Ｃ３］
前記プロセッサは、第２のワイヤレス信号を介した送信のための第２のパケットを生成するようにさらに構成され、前記第２のパケットは、少なくとも１つのＯＦＤＭシンボルを使用した４ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±１．９ＭＨｚ内の前記第２の電力スペクトル密度は、第２の電力スペクトル密度レベルにあり、
前記第２のワイヤレス信号の前記第２の中心周波数から１．９ＭＨｚと２．１ＭＨｚとの間および前記第２のワイヤレス信号の前記第２の中心周波数から−１．９ＭＨｚと−２．１ＭＨｚとの間の前記第２の電力スペクトル密度は、前記第２の電力スペクトル密度レベル未満であり、
前記第２のワイヤレス信号の前記第２の中心周波数から２．１ＭＨｚと４ＭＨｚとの間および前記第２のワイヤレス信号の前記第２の中心周波数から−２．１ＭＨｚと−４ＭＨｚとの間の前記第２の電力スペクトル密度は、前記第２の電力スペクトル密度レベルに対して−２０ｄＢｒ未満であり、
前記第２のワイヤレス信号の前記第２の中心周波数から４ＭＨｚと６ＭＨｚとの間および前記第２のワイヤレス信号の前記第２の中心周波数から−４ＭＨｚと−６ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±６ＭＨｚよりも大きい前記第２の電力スペクトル密度は、前記第２の電力スペクトル密度レベルに対して−４０ｄＢｒ未満である、
［Ｃ１］に記載の装置。
［Ｃ４］
前記プロセッサは、第２のワイヤレス信号を介した送信のための第２のパケットを生成するようにさらに構成され、前記第２のパケットは、少なくとも１つのＯＦＤＭシンボルを使用した８ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±３．９ＭＨｚ内の前記第２の電力スペクトル密度は、第２の電力スペクトル密度レベルにあり、
前記第２のワイヤレス信号の前記第２の中心周波数から３．９ＭＨｚと４．１ＭＨｚとの間および前記第２のワイヤレス信号の前記第２の中心周波数から−３．９ＭＨｚと−４．１ＭＨｚとの間の前記第２の電力スペクトル密度は、前記第２の電力スペクトル密度レベル未満であり、
前記第２のワイヤレス信号の前記第２の中心周波数から４．１ＭＨｚと８ＭＨｚとの間および前記第２のワイヤレス信号の前記第２の中心周波数から−４．１ＭＨｚと−８ＭＨｚとの間の前記第２の電力スペクトル密度は、前記第２の電力スペクトル密度レベルに対して−２０ｄＢｒ未満であり、
前記第２のワイヤレス信号の前記第２の中心周波数から８ＭＨｚと１２ＭＨｚとの間および前記第２のワイヤレス信号の前記第２の中心周波数から−８ＭＨｚと−１２ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±１２ＭＨｚよりも大きい前記第２の電力スペクトル密度は、前記第２の電力スペクトル密度レベルに対して−４０ｄＢｒ未満である、
［Ｃ１］に記載の装置。
［Ｃ５］
前記プロセッサは、第２のワイヤレス信号を介した送信のための第２のパケットを生成するようにさらに構成され、前記第２のパケットは、少なくとも１つのＯＦＤＭシンボルを使用した１６ＭＨｚの帯域幅上での送信のために生成され、前記送信機は、第２の電力スペクトルパワー密度を有する前記第２のワイヤレス信号を介して前記第２のパケットを送信するようにさらに構成され、
前記第２のワイヤレス信号の第２の中心周波数の±７．９ＭＨｚ内の前記第２の電力スペクトル密度は、第２の電力スペクトル密度レベルにあり、
前記第２のワイヤレス信号の前記第２の中心周波数から７．９ＭＨｚと８．１ＭＨｚとの間および前記第２のワイヤレス信号の前記第２の中心周波数から−７．９ＭＨｚと−８．１ＭＨｚとの間の前記第２の電力スペクトル密度は、前記第２の電力スペクトル密度レベル未満であり、
前記第２のワイヤレス信号の前記第２の中心周波数から８．１ＭＨｚと１６ＭＨｚとの間および前記第２のワイヤレス信号の前記第２の中心周波数から−８．１ＭＨｚと−１６ＭＨｚとの間の前記第２の電力スペクトル密度は、前記第２の電力スペクトル密度レベルに対して−２０ｄＢｒ未満であり、
前記第２のワイヤレス信号の前記第２の中心周波数から１６ＭＨｚと２４ＭＨｚとの間および前記第２のワイヤレス信号の前記第２の中心周波数から−１６ＭＨｚと−２４ＭＨｚとの間の前記第２の電力スペクトル密度は、前記第２の電力スペクトル密度レベルに対して−２８ｄＢｒ未満であり、
前記第２のワイヤレス信号の前記第２の中心周波数から±２４ＭＨｚよりも大きい前記第２の電力スペクトル密度は、前記第２の電力スペクトル密度レベルに対して−４０ｄＢｒ未満である、
［Ｃ１］に記載の装置。
［Ｃ６］
前記ＯＦＤＭシンボルは、３２個のサブキャリアを備え、２４個のサブキャリアは、データのために使用される、
［Ｃ１］に記載の装置。
［Ｃ７］
前記送信機は、１０ｋＨｚ解像度帯域幅と３ｋＨｚビデオ帯域幅とを使用して前記電力スペクトル密度を判断するための測定を行うように構成される、
［Ｃ１］に記載の装置。
［Ｃ８］
前記ワイヤレス信号の前記中心周波数から±１．５ＭＨｚよりも大きい前記電力スペクトル密度は、前記第１の電力スペクトル密度レベルと−４０ｄＢ／ＭＨｚとに対して最大−４０ｄＢｒにある、
［Ｃ１］に記載の装置。
［Ｃ９］
前記第２のワイヤレス信号の前記第２の中心周波数から±３ＭＨｚよりも大きい前記電力スペクトル密度が、前記第２の電力スペクトル密度レベルと−４３ｄＢ／ＭＨｚとに対して最大−４０ｄＢｒにある、
［Ｃ２］に記載の装置。
［Ｃ１０］
前記第２のワイヤレス信号の前記第２の中心周波数から±６ＭＨｚよりも大きい前記電力スペクトル密度は、前記第２の電力スペクトル密度レベルと−４６ｄＢ／ＭＨｚとに対して最大−４０ｄＢｒにある、
［Ｃ３］に記載の装置。
［Ｃ１１］
前記第２のワイヤレス信号の前記第２の中心周波数から±１２ＭＨｚよりも大きい前記電力スペクトル密度は、前記第２の電力スペクトル密度レベルと−４９ｄＢ／ＭＨｚとに対して最大−４０ｄＢｒにある、
［Ｃ４］に記載の装置。
［Ｃ１２］
前記第２のワイヤレス信号の前記第２の中心周波数から±２４ＭＨｚよりも大きい前記電力スペクトル密度は、前記第２の電力スペクトル密度レベルと−４９ｄＢ／ＭＨｚとに対して最大−４０ｄＢｒにある、
［Ｃ５］に記載の装置。
［Ｃ１３］
ワイヤレス通信のための方法であって、
少なくとも１つの直交周波数分割多重（ＯＦＤＭ）シンボルを使用した１ＭＨｚの帯域幅上でのワイヤレス信号を介した送信のためのパケットを生成することと、
電力スペクトル密度を有する前記ワイヤレス信号を介して前記パケットを送信することと
を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
方法。
［Ｃ１４］
ワイヤレス通信のための装置であって
少なくとも１つの直交周波数分割多重（ＯＦＤＭ）シンボルを使用した１ＭＨｚの帯域幅上でのワイヤレス信号を介した送信のためのパケットを生成するための手段と、
電力スペクトル密度を有する前記ワイヤレス信号を介して前記パケットを送信するための手段と
を備え
前記ワイヤレス信号の中心周波数の±０．４５ＭＨｚ内の前記電力スペクトル密度が第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度が前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度が前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度が前記第１の電力スペクトル密度レベルに対して−２８ｄＢｒ未満であり、
前記ワイヤレス信号の前記中心周波数から±１．５ＭＨｚよりも大きい前記電力スペクトル密度が前記第１の電力スペクトル密度レベルに対して−４０ｄＢｒ未満である、
装置。
［Ｃ１５］
少なくとも１つの直交周波数分割多重（ＯＦＤＭ）シンボルを使用した１ＭＨｚの帯域幅上でのワイヤレス信号を介した送信のためのパケットを生成するためのコードと、
電力スペクトル密度を有する前記ワイヤレス信号を介して前記パケットを送信するためのコードと
を備える、コンピュータ可読媒体を備え、
前記ワイヤレス信号の中心周波数の±０．４５ＭＨｚ内の前記電力スペクトル密度は、第１の電力スペクトル密度レベルにあり、
前記ワイヤレス信号の前記中心周波数から０．４５ＭＨｚと０．６ＭＨｚとの間および前記ワイヤレス信号の前記中心周波数から−０．４５ＭＨｚと−０．６ＭＨｚとの間の前記電力スペクトル密度は、前記第１の電力スペクトル密度レベル未満であり、
前記ワイヤレス信号の前記中心周波数から０．６ＭＨｚと１ＭＨｚとの間および前記ワイヤレス信号の前記中心周波数から−０．６ＭＨｚと−１ＭＨｚとの間の前記電力スペクトル密度は、前記第１の電力スペクトル密度レベルに対して−２０ｄＢｒ未満であり、
前記ワイヤレス信号の前記中心周波数から１ＭＨｚと１．５ＭＨｚとの間および前記ワイヤレス信号の前記中心周波数から−１ＭＨｚと−１．５ＭＨｚとの間の前記電力スペクトル密度は、前記第１の電力スペクトル密度レベルに対して−２８ｄＢｒ未満であり、
前記ワイヤレス信号の前記中心周波数から±１．５ＭＨｚよりも大きい前記電力スペクトル密度は、前記第１の電力スペクトル密度レベルに対して−４０ｄＢｒ未満である、
コンピュータプログラム製品。
【図１】
0006262210.tif 000012
【図２】
0006262210.tif 000013
【図３】
0006262210.tif 000014
【図４】
0006262210.tif 000015
【図５】
0006262210.tif 000016
【図６】
0006262210.tif 000017
【図７】
0006262210.tif 000018
【図８Ａ】
0006262210.tif 000019
【図８Ｂ】
0006262210.tif 000020
【図８Ｃ】
0006262210.tif 000021
【図９】
0006262210.tif 000022
【図１０Ａ】
0006262210.tif 000023
【図１０Ｂ】
0006262210.tif 000024
【図１０Ｃ】
0006262210.tif 000025
【図１０Ｄ】
0006262210.tif 000026
【図１０Ｅ】
0006262210.tif 000027
【図１１】
0006262210.tif 000028
【図１２Ａ】
0006262210.tif 000029
【図１２Ｂ】
0006262210.tif 000030
【図１２Ｃ】
0006262210.tif 000031
【図１２Ｄ】
0006262210.tif 000032
【図１３】
0006262210.tif 000033
【図１４Ａ】
0006262210.tif 000034
【図１４Ｂ】
0006262210.tif 000035
【図１４Ｃ】
0006262210.tif 000036
【図１４Ｄ】
0006262210.tif 000037
【図１４Ｅ】
0006262210.tif 000038
【図１５】
0006262210.tif 000039
【図１６Ａ】
0006262210.tif 000040
【図１６Ｂ】
0006262210.tif 000041
【図１６Ｃ】
0006262210.tif 000042
【図１６Ｄ】
0006262210.tif 000043
【図１６Ｅ】
0006262210.tif 000044
【図１７】
0006262210.tif 000045
【図１８Ａ】
0006262210.tif 000046
【図１８Ｂ】
0006262210.tif 000047
【図１８Ｃ】
0006262210.tif 000048
【図１８Ｄ】
0006262210.tif 000049
【図１８Ｅ】
0006262210.tif 000050
【図１９】
0006262210.tif 000051
【図２０】
0006262210.tif 000052
【図２１】
0006262210.tif 000053